(57)【要約】  実施の形態は、製品（１１２）を収容および提供するためのパッケージ（１００）を含む。パッケージは、第１および第２の層（２０２，２０４）と、第１の層が第２の層に接合されている製品シールゾーン（１０６）であって、製品を収容するためのシールされていないパウチ領域（１１０）を画定する内側周縁部（１０８）と、外側周縁部（１３６）とを有する、製品シールゾーンと、製品シールゾーンの外側周縁部に隣接したヘッダゾーン（１１８）と、を含む。ヘッダゾーンは、第１のタブ（１２２）と、第２のタブ（１２４）と、ヘッダゾーンのシールされていない部分内の第１の層（２０２）における第１のタブ切込み（１２６）と、ヘッダゾーンのシールされていない部分内の第２の層（２０４）における第２のタブ切込み（１２８）と、を含む。【選択図】図１
2019517443.tif 000002
【特許請求の範囲】
【請求項１】
製品を収容および提供するためのパッケージを形成する方法であって、
第１の層ウェブおよび第２の層ウェブを提供する工程と、
前記第１および第２の層ウェブのうちの一方の少なくとも１つのパウチ領域に製品を配置する工程と、
該少なくとも１つのパウチ領域を包囲するシールによって第１の層が第２の層に接合されるように、少なくとも製品シールゾーンにおいて前記第１の層ウェブを前記第２の層ウェブにシールすることによって複合ウェブを形成する工程、および前記第１の層ウェブが前記第２の層ウェブにシールされていない、前記製品シールゾーンの外側周縁部に隣接したシールされていないヘッダゾーンを残す工程と、
前記複合ウェブから個々のパッケージを分離させるために、外側パッケージ周縁部に沿って少なくとも１つの個々のパッケージを切断する工程であって、前記パッケージに第１のタブゾーンの境界を画定するように前記シールされていないヘッダゾーン内の第１のタブ切込み位置において前記パッケージの前記第１の層を切断する工程と、前記パッケージに第２のタブゾーンの境界を画定するように前記シールされていないヘッダゾーン内の第２のタブ切込み位置において前記パッケージの前記第２の層を切断する工程と、をさらに備える、切断する工程と、
を備える方法。
【請求項２】
複合ウェブを形成する工程は、前記第１のタブゾーン内にある第１のタブシールゾーンにおいて前記第１の層ウェブを前記第２の層ウェブにシールする工程と、前記第２のタブゾーン内にある第２のタブシールゾーンにおいて前記第１の層ウェブを前記第２の層ウェブにシールする工程と、をさらに備える、請求項１に記載の方法。
【請求項３】
前記第１の層および前記第２の層に刻み目を付ける工程をさらに含み、前記第１の層および前記第２の層における前記刻み目はそれぞれ、前記製品シールゾーンの一部および前記パウチ領域の一部を横切っている、請求項１または請求項２に記載の方法。
【請求項４】
切断する工程は、前記第１のタブゾーンと前記第２のタブゾーンとの間に隙間を画定するために前記パッケージの前記第１の層および前記第２の層を切断する工程をさらに備える、請求項１または請求項２に記載の方法。
【請求項５】
製品を収容および提供するためのパッケージであって、
第１の層と、
第２の層と、
シールによって前記第１の層が前記第２の層に接合されている製品シールゾーンであって、内側周縁部および外側周縁部を有し、前記内側周縁部は、前記製品を収容するためのシールされていないパウチ領域を画定している、製品シールゾーンと、
該製品シールゾーンの前記外側周縁部に隣接したヘッダゾーンと、を備え、該ヘッダゾーンは、
第１のタブと、
第２のタブと、
前記ヘッダゾーンのシールされていない部分内の前記第１の層における第１のタブ切込みと、
前記ヘッダゾーンのシールされていない部分内の前記第２の層における第２のタブ切込みと、を備え、
前記第１のタブ切込みは、前記第２のタブ切込みと交差しておらず、
前記パッケージは、前記第１のタブと前記第２のタブとの間に隙間を画定しており、
前記第１のタブ切込みは、前記隙間の一部を画定する前記パッケージのエッジにおいて途切れており、
前記第２のタブ切込みは、前記隙間の前記一部を画定する前記パッケージの前記エッジにおいて途切れている、
製品を収容および提供するためのパッケージ。
【請求項６】
前記第１のタブは、前記第１の層が前記第２の層に接合されている第１のタブシールゾーンを備え、前記第２のタブは、前記第１の層が前記第２の層に接合されている第２のタブシールゾーンを備える、請求項５に記載のパッケージ。
【請求項７】
前記第１のタブ切込みは、前記第２のタブ切込みに対して平行でない、請求項５に記載のパッケージ。
【請求項８】
前記製品シールゾーンは、剥離抑制特徴部を備え、前記製品シールゾーンは、前記剥離抑制特徴部に隣接した前記製品シールゾーンの一部に沿う部分よりも、前記剥離抑制特徴部において、前記第１の層を前記第２の層から分離させるために使用者がより大きな力を加えることを要求する、請求項５に記載のパッケージ。
【請求項９】
前記剥離抑制特徴部は、前記第２の層からの前記第１の層の分離を妨げる剥離妨害特徴部を備え、該剥離妨害特徴部は、
圧着部、
前記第１の層および前記第２の層のうちの少なくとも一方における切込み、
前記外側周縁部を始点とする前記第１の層および前記第２の層のうちの少なくとも一方におけるエッジ切込み、
切欠、
溶接部、および
超音波溶接部
を含む群からの少なくとも１つを有する、請求項８に記載のパッケージ。
【請求項１０】
前記第１の層における前記第１のタブ切込みに対応する位置において前記第２の層に切込みが設けられておらず、前記第２の層における前記第２のタブ切込みに対応する位置において前記第１の層に切込みが設けられていない、請求項５に記載のパッケージ。
【請求項１１】
前記製品シールゾーンは、前記パッケージの側部エッジに沿って変化する可変の幅を有し、該可変の幅は、前記製品シールゾーンの第１の部分における第１の幅と、前記製品シールゾーンの第２の部分における、前記第１の幅より大きな第２の幅とを備え、前記製品シールゾーンの前記第１の部分は、前記第２の部分より前記ヘッダゾーンに近く、前記側部エッジに沿った前記可変の幅は、前記ヘッダゾーンとは反対の前記パッケージの端部において前記第１の層を前記第２の層から分離させるために使用者が増大した力を加えることを要求する、請求項５に記載のパッケージ。
【請求項１２】
上部シールゾーンに隣接する前記製品シールゾーンの一部は、前記パッケージの前記ヘッダゾーンと反対側の端部における前記製品シールゾーンの一部よりも、前記第１の層を前記第２の層から分離させるためにより小さい力を要求する、請求項５に記載のパッケージ。
【請求項１３】
前記第１の層における第１の刻み目と、前記第２の層における第２の刻み目とをさらに備え、前記第１の刻み目は、前記第２の刻み目に対して平行であり、前記第１の刻み目および前記第２の刻み目はそれぞれ、前記パッケージの一方の端部から前記パッケージの反対側の端部まで延びている、請求項５に記載のパッケージ。
【請求項１４】
前記第１の層における第３の刻み目と、前記第２の層における第４の刻み目とをさらに備える、請求項１３に記載のパッケージ。
【請求項１５】
前記第１のタブ切込みおよび前記第２のタブ切込みは両方とも、前記パッケージのシールされていない領域に配置されている、請求項５から請求項１４のいずれか一項に記載のパッケージ。
【請求項１６】
前記製品シールゾーンと、前記第１のタブシールゾーンおよび前記第２のタブシールゾーンとの間のシールされていない部分は、パッケージ周縁部の一方のエッジから前記パッケージ周縁部の反対側のエッジまで前記パッケージを横切って延びている、請求項５から請求項１４のいずれか一項に記載のパッケージ。
【請求項１７】
前記第１のタブ切込みは、前記隙間から前記パッケージの一部を横切って前記パッケージの周縁部まで延びており、前記第２のタブ切込みは、前記隙間から前記パッケージの一部を横切って前記パッケージの周縁部まで延びている、請求項５から請求項１４のいずれか一項に記載のパッケージ。
【請求項１８】
前記第１のタブ切込みは、前記パッケージの第１の側部エッジまで延びており、前記第２のタブ切込みは、前記第１の側部エッジと反対側の、前記パッケージの第２の側部エッジまで延びている、請求項５から請求項１４のいずれか一項に記載のパッケージ。
【請求項１９】
前記第１のタブは、第１の触覚特徴部を備え、前記第２のタブは、第２の触覚特徴部を備え、前記触覚特徴部はそれぞれ、開口、１つまたは複数のスリット、溝、突出部および凹所から成る群から選択されている、請求項５から請求項１４のいずれか一項に記載のパッケージ。
【請求項２０】
前記第１のタブは、第１の触覚特徴部を有し、前記第２のタブは、第２の触覚特徴部を備え、前記触覚特徴部はそれぞれ、開口と、開口エッジの一部に沿った鈍化エレメントとを画定しており、該鈍化エレメントは、前記第１または第２の層のうちの少なくとも一方の折り曲げられた部分を含む、請求項５から請求項１４のいずれか一項に記載のパッケージ。
【請求項２１】
前記第１のタブ切込みは、前記隙間から前記第１の刻み目まで延びており、前記第２のタブ切込みは、前記隙間から前記第２の刻み目まで延びている、請求項５から請求項１４のいずれか一項に記載のパッケージ。
【請求項２２】
製品を収容および提供するためのパッケージであって、
第１の層と、
第２の層と、
シールによって前記第１の層が前記第２の層に接合されている製品シールゾーンであって、内側周縁部および外側周縁部を有し、前記内側周縁部は、前記製品を収容するためのシールされていないパウチ領域を画定している、製品シールゾーンと、
該製品シールゾーンの前記外側周縁部に隣接したヘッダゾーンと、を備え、該ヘッダゾーンは、
第１の触覚特徴部を含む第１のタブと、
第２の触覚特徴部を含む第２のタブと、
前記ヘッダゾーンのシールされていない部分内の前記第１の層における第１のタブ切込みと、
前記ヘッダゾーンのシールされていない部分内の前記第２の層における第２のタブ切込みと、を備え、
前記第１のタブ切込みは、前記第２のタブ切込みと交差していない、パッケージ。
【請求項２３】
前記第１のタブ切込みおよび前記第２のタブ切込みは両方とも、前記パッケージのシールされていない領域に配置されている、請求項２２に記載のパッケージ。
【請求項２４】
前記第１のタブは、前記第１の層が前記第２の層に接合されている第１のタブシールゾーンを備え、
前記第２のタブは、前記第１の層が前記第２の層に接合されている第２のタブシールゾーンを備える、請求項２２または請求項２３に記載のパッケージ。
【発明の詳細な説明】
【技術分野】
【０００１】
本願は、全ての国を指定国とする出願人である米国国内企業The Tapemark Companyの名において２０１７年６月８日にPCT国際特許出願として出願されており、２０１６年６月９日に出願された米国仮特許出願第６２／３４８０６２号明細書および２０１７年６月７日に出願された米国特許出願第１５／６１６６６６号明細書に対する優先権を主張するものであり、これら両出願の内容は、引用したことによりその全体が本明細書に組み込まれる。
【０００２】
技術分野
本明細書に記載された技術は、パウチ領域を有するパッケージに関する。より具体的には、本明細書に記載された技術は、パウチ領域へアクセスするために層が剥離されるパッケージに関する。
【０００３】
背景
多くの異なるタイプのパッケージは、材料の２つ以上の層から形成されており、これらの層は、製品を収容するためのパウチを形成するように互いにシールされ、次いで、製品へアクセスするために剥離させることができる。幾つかの技術分野において、最終的な使用のために無菌である製品へアクセスすることが望ましい。これは、医療分野における一般的な問題であり、例えば、医療分野では、医療行為において使用される製品は、製造施設や医療施設等において貯蔵されている間に加え、これらの施設への、また、これらの施設からの輸送中に無菌のまま保たれることが望ましい。幾つかのパッケージ設計では、層を掴み、層を剥離させるために、パッケージの層を分離させることが困難である。静電気が層を分離させにくくする働きをすることもある。外側パッケージ周縁部を切断するための切断プロセスが、外側周縁部において層をある程度融着させることがあり、これは、層を分離させにくくする可能性がある。
【０００４】
幾つかのパッケージは、切れ目または裂け目が形成されている。この切れ目または裂け目は、製品を収容したパウチ領域の少なくとも一部へアクセスするために、使用者が、切れ目を始点としてパッケージの全ての層を裂断させることを可能にする。しかしながら、パウチ領域を横切って全ての層を裂断させることは、脆い内容物に損傷を与える可能性がある。また、パウチ領域の一方の側を横切って全ての層を裂断させることは、さらに、幾つかの状況において内容物を取り出すことを困難にする可能性がある。
【０００５】
パッケージが、開封するために薄い層の手作業による分離を必要とする場合、特に、使用者の手の器用さが制限されているとき、使用者に障がいがあるとき、使用者が手袋をはめているとき、または使用者が緊急の医療必要性に対応しているとき、時間およびフラストレーションが問題となる。
【０００６】
概要
本明細書に開示された実施の形態は、製品を収容および提供するためのパッケージを含む。パッケージは、第１の層と、第２の層と、剥離可能シールによって第１の層が第２の層に接合されている製品シールゾーンであって、製品を収容するためのシールされていないパウチ領域を画定する内側周縁部と、外側周縁部とを有する、製品シールゾーンと、製品シールゾーンの外側周縁部に隣接したヘッダゾーンと、を含む。ヘッダゾーンは、第１のタブと、第２のタブと、ヘッダゾーンのシールされていない部分内の第１の層における第１のタブ切込みと、ヘッダゾーンのシールされていない部分内の第２の層における第２のタブ切込みと、を含む。幾つかの実施の形態において、第１のタブ切込みは、第２のタブ切込みと交差していない。
【０００７】
幾つかの実施の形態において、第１のタブは、第１の層が第２の層に接合されている第１のタブシールゾーンを備え、第２のタブは、第１の層が第２の層に接合されている第２のタブシールゾーンを備える。
【０００８】
幾つかの実施の形態において、第１のタブ切込みは、製品シールゾーンと第１のタブシールゾーンとの間に配置されており、第２のタブ切込みは、製品シールゾーンと第２のタブシールゾーンとの間に配置されている。
【０００９】
幾つかの実施の形態において、第１のタブ切込みは、第１の層の一部を第１の層の残りから分離しており、第２のタブ切込みは、第２の層の一部を第２の層の残りから分離している。
【００１０】
幾つかの実施の形態において、パッケージは、第１のタブと第２のタブとの間に隙間を画定している。
【００１１】
幾つかの実施の形態において、第１のタブ切込みは、隙間からパッケージの周縁部まで延びており、第２のタブ切込みは、隙間からパッケージの周縁部まで延びている。
【００１２】
幾つかの実施の形態において、第１のタブ切込みは、パッケージの第１の側部エッジまで延びており、第２のタブ切込みは、第１の側部エッジと反対側のパッケージの第２の側部エッジまで延びている。
【００１３】
幾つかの実施の形態において、パッケージの外側周縁部は、第１のタブと第２のタブとの間に隙間を画定するために製品シールゾーンに向かって内方へ延びる１つのエッジに沿った外側周縁部の一部を除き、実質的に矩形である。
【００１４】
幾つかの実施の形態において、隙間は、パッケージのエッジの中央から内方へ延びている。
【００１５】
幾つかの実施の形態において、第１のタブは、第１の触覚特徴部を有し、第２のタブは、第２の触覚特徴部を有する。
【００１６】
幾つかの実施の形態において、各触覚特徴部は、開口、１つまたは複数のスリット、溝、突出部および凹所から成る群から選択されている。
【００１７】
幾つかの実施の形態において、各触覚特徴部は、開口を画定しており、さらに、開口エッジの一部に沿って鈍化エレメントを備え、鈍化エレメントは、第１または第２の層のうちの少なくとも一方の折り曲げられた部分を含む。
【００１８】
幾つかの実施の形態において、第１の触覚特徴部は第１のタブシールゾーン内に配置されており、第２の触覚特徴部は第２のタブシールゾーン内に配置されている。幾つかの実施の形態において、第１の触覚特徴部は第２の触覚特徴部と同じである。
【００１９】
幾つかの実施の形態において、第１の層における第１のタブ切込みに対応する位置において第２の層には切込みが設けられていない。幾つかの実施の形態において、第２の層における第２のタブ切込みに対応する位置において第１の層には切込みが設けられていない。
【００２０】
幾つかの実施の形態において、製品は、シート製品である。
【００２１】
幾つかの実施の形態において、第１のタブ切込みの両側に位置するパッケージの部分はシールされておらず、第２のタブ切込みの両側に位置するパッケージの部分はシールされていない。
【００２２】
幾つかの実施の形態において、第１の層および第２の層が共通の外側周縁部を共有するように、第１の層は第２の層と同一の広がりを有する。
【００２３】
幾つかの実施の形態において、製品シールゾーンと、第１のタブシールゾーンおよび第２のタブシールゾーンとの間のシールされていない部分は、パッケージ周縁部の一方のエッジからパッケージ周縁部の反対側のエッジまでパッケージを横切って延びている。幾つかの例において、ヘッダのこのシールされていない部分は、山形を形成している。幾つかの例において、製品シールゾーンの外側周縁部は、第１の山形を形成している。幾つかの例において、製品シールゾーンの内側周縁部は、第２の山形を形成している。幾つかの例において、第１の山形の角度は、第２の山形の角度と等しい。幾つかの例において、第２の山形の角度は、第１の山形の角度より小さい。幾つかの例において、山形は、９０度と１３０度との間の角度を形成している。幾つかの例において、山形は、１１０度と１２５度との間の角度を形成している。
【００２４】
幾つかの実施の形態において、シールされていないパウチ領域は、五角形である。
【００２５】
幾つかの実施の形態において、製品シールゾーンは、第１のタブと第２のタブとの間に配置された隙間に先端を向けられている。
【００２６】
幾つかの実施の形態において、第１のタブ切込みは製品シールゾーンの一部に対して平行であり、第２のタブ切込みは製品シールゾーンの一部に対して平行である。
【００２７】
幾つかの実施の形態において、第１のタブ切込みは、第２のタブ切込みに対して平行でない。
【００２８】
幾つかの実施の形態において、第１のタブシールゾーンのエッジは第１のタブ切込みに対して平行であり、第２のタブシールゾーンのエッジは第２のタブ切込みに対して平行である。
【００２９】
幾つかの実施の形態において、パッケージは、少なくとも２インチかつ６インチ以下の長さを有する。幾つかの実施の形態において、パッケージは、少なくとも１インチかつ３インチ以下の幅を有する。幾つかの実施の形態において、パッケージの長さは約４インチであり、パッケージの幅は約２インチである。
【００３０】
本明細書に開示された実施の形態は、製品を収容および提供するためのパッケージを含む。パッケージは、第１の層と、第２の層と、剥離可能シールによって第１の層が第２の層に接合されている製品シールゾーンであって、製品を収容するためのシールされていないパウチ領域を画定する内側周縁部と、外側周縁部とを有する、製品シールゾーンと、製品シールゾーンの外側周縁部に隣接したヘッダゾーンと、を含む。ヘッダゾーンは、第１の層が第２の層に接合されている第１のタブシールゾーンを含む第１のタブと、第１の層が第２の層に接合されている第２のタブシールゾーンを含む第２のタブと、ヘッダゾーンのシールされていない部分内の第１の層における第１のタブ切込みと、ヘッダゾーンのシールされていない部分内の第２の層における第２のタブ切込みと、を含む。幾つかの実施の形態において、パッケージは、第１のタブと第２のタブとの間に隙間を画定している。
【００３１】
本明細書に開示された実施の形態は、製品を収容および提供するためのパッケージを含む。パッケージは、第１の層と、第２の層と、剥離可能シールによって第１の層が第２の層に接合されている製品シールゾーンであって、製品を収容するためのシールされていないパウチ領域を画定する内側周縁部と、外側周縁部とを有する、製品シールゾーンと、製品シールゾーンの外側周縁部に隣接したヘッダゾーンと、を含む。ヘッダゾーンは、第１の層が第２の層に接合されている第１のタブシールゾーンを有する第１のタブと、第２のタブシールゾーンを有する第２のタブと、を含む。幾つかの例において、第１の層は第２の層に接合されており、第１の層における第１のタブ切込みは、ヘッダゾーンのシールされていない部分内に配置されており、第２の層における第２のタブ切込みは、ヘッダゾーンのシールされていない部分内に配置されている。幾つかの実施の形態において、第１のタブ切込みは、第１の層のみを貫通しており、第２の層を貫通しておらず、第２のタブ切込みは、第２の層のみを貫通しており、第１の層を貫通していない。
【００３２】
幾つかの例において、製品シールゾーンにおいて、第１の層は、剥離可能シールによって第２の層に接合されている。
【００３３】
幾つかの例において、第１のタブ切込みおよび第２のタブ切込みは両方とも、パッケージのシールされていない領域に配置されている。幾つかの例において、第１のタブは、第１の層が第２の層に接合されている第１のタブシールゾーンを備え、製品シールゾーンと、第１のタブシールゾーンおよび第２のタブシールゾーンとの間のシールされていない部分は、パッケージ周縁部の一方のエッジからパッケージ周縁部の反対側のエッジまでパッケージを横切って延びている。
【００３４】
幾つかの例において、第２のタブは、第１の層が第２の層に接合されている第２のタブシールゾーンを含む。幾つかの例において、第１のタブ切込みは、隙間からパッケージの一部を横切ってパッケージの周縁部まで延びており、第２のタブ切込みは、隙間からパッケージの一部を横切ってパッケージの周縁部まで延びている。
【００３５】
幾つかの例において、第１のタブ切込みは、パッケージの第１の側部エッジまで延びており、第２のタブ切込みは、第１の側部エッジと反対側のパッケージの第２の側部エッジまで延びている。
【００３６】
幾つかの例において、第１のタブは、第１の触覚特徴部を有し、第２のタブは、第２の触覚特徴部を有する。幾つかの例において、各触覚特徴部は、開口、１つまたは複数のスリット、溝、突出部および凹所から成る群から選択されている。幾つかの例において、各触覚特徴部は、開口を画定している。幾つかの例において、触覚特徴部は、開口エッジの一部に沿って鈍化エレメントを有し、鈍化エレメントは、第１または第２の層のうちの少なくとも一方の折り曲げられた部分を含む。
【００３７】
幾つかの例において、第１の層における第１のタブ切込みに対応する位置において第２の層に切込みが設けられておらず、第２の層における第２のタブ切込みに対応する位置において第１の層に切込みが設けられていない。幾つかの例において、第１の層および第２の層が共通の外側周縁部を共有するように、第１の層は第２の層と同一の広がりを有する。
【００３８】
幾つかの例において、第１のタブ切込みは製品シールゾーンの一部に対して平行であり、第２のタブ切込みは製品シールゾーンの一部に対して平行である。
【００３９】
幾つかの例において、製品シールゾーンと第１のタブシールゾーンとの間にはシールされていない部分が設けられており、製品シールゾーンと第２のタブシールゾーンとの間にはシールされていない部分が設けられている。幾つかの例において、シールされていない部分は、隣接している。幾つかの例において、シールされていない部分は、パッケージ周縁部の一方のエッジからパッケージ周縁部の反対側のエッジまでパッケージを横切って延びている。幾つかの例において、第１のタブ切込みは、第２のタブ切込みに対して平行でない。
【００４０】
幾つかの例において、パッケージは、さらに、第１の層における第１の刻み目と、第２の層における第２の刻み目とを含み、第１の刻み目は第２の刻み目に対して平行である。幾つかの例において、第１の刻み目および第２の刻み目はそれぞれ、パッケージの一方の端部からパッケージの反対側の端部まで延びている。
【００４１】
幾つかの例において、パッケージは、さらに、第１の層における第３の刻み目と、第２の層における第４の刻み目とを含む。幾つかの例において、第１のタブ切込みは隙間から第１の刻み目まで延びており、第２のタブ切込みは隙間から第２の刻み目まで延びている。
【００４２】
幾つかの例において、製品シールゾーンは、剥離抑制特徴部を含み、製品シールゾーンは、剥離抑制特徴部に隣接した製品シールゾーンの一部に沿う部分よりも、剥離抑制特徴部において第１の層を第２の層から分離させるためにより大きな力を加えることを使用者に要求する。
【００４３】
幾つかの例において、剥離抑制特徴部は、第２の層からの第１の層の分離を妨げる剥離妨害特徴部を含み、剥離妨害特徴部は、圧着部、第１の層および第２の層のうちの少なくとも一方における切込み、外側周縁部を始点とする、第１の層および第２の層のうちの少なくとも一方におけるエッジ切込み、切欠、溶接および超音波溶接を備える群からの少なくとも１つを含む。
【００４４】
幾つかの例において、製品シールゾーンは、パッケージの側部エッジに沿って変化する可変の幅を有し、可変の幅は、製品シールゾーンの第１の部分における第１の幅と、製品シールゾーンの第２の部分における、第１の幅より大きな第２の幅とを有する。幾つかの例において、製品シールゾーンの第１の部分は、第２の部分よりヘッダゾーンに近く、側部エッジに沿った可変の幅は、ヘッダゾーンと反対側のパッケージの端部において第１の層を第２の層から分離させるために使用者が増大した力を加えることを要求する。
【００４５】
幾つかの例において、上部シールゾーンに隣接する製品シールゾーンの一部は、パッケージのヘッダゾーンと反対側の端部における製品シールゾーンの一部よりも、第１の層を第２の層から分離させるためにより小さい力を要求する。
【００４６】
幾つかの例において、製品を収容および提供するためのパッケージを形成する方法が開示されている。方法は、第１の層ウェブおよび第２の層ウェブを提供する工程と、第１および第２の層ウェブのうちの一方の少なくとも１つのパウチ領域に製品を配置する工程と、少なくとも１つのパウチ領域を包囲するシールによって第１の層が第２の層に接合されるように少なくとも製品シールゾーンにおいて第１の層ウェブを第２の層ウェブにシールすることによって複合ウェブを形成する工程、および第１の層ウェブが第２の層ウェブにシールされていない、製品シールゾーンの外側周縁部に隣接したシールされていないヘッダゾーンを残す工程と、複合ウェブから個々のパッケージを分離させるために、外側パッケージ周縁部の周りで少なくとも１つの個々のパッケージを切断する工程と、を含む。幾つかの例において、この切断する工程のステップは、パッケージに第１のタブゾーンの境界を画定するようにシールされていないヘッダゾーン内の第１のタブ切込み位置においてパッケージの第１の層を切断する工程と、パッケージに第２のタブゾーンの境界を画定するようにシールされていないヘッダゾーン内の第２のタブ切込み位置においてパッケージの第２の層を切断する工程と、をさらに含む。
【００４７】
幾つかの例において、上記の方法は、さらに、第１の層および第２の層に刻み目を付ける工程を含む。幾つかの例において、第１の層および第２の層における刻み目はそれぞれ、製品シールゾーンの一部およびパウチ領域の一部を横切っている。幾つかの例において、複合ウェブを形成する工程は、第１のタブゾーン内にある第１のタブシールゾーンにおいて第１の層ウェブを第２の層ウェブにシールする工程と、第２のタブゾーン内にある第２のタブシールゾーンにおいて第１の層ウェブを第２の層ウェブにシールする工程と、をさらに含む。幾つかの例において、切断する工程のステップは、第１のタブゾーンと第２のタブゾーンとの間に隙間を画定するためにパッケージの第１の層および第２の層を切断する工程をさらに含む。
【００４８】
この概要は、本願の教示のうちの幾つかの概説であり、本発明の対象の排他的または網羅的な取扱いであることは意図されていない。さらなる詳細は、詳細な説明および添付の請求項に見られる。その他の態様は、以下の詳細な説明を読みかつ理解し、以下の詳細な説明の一部を形成する図面を見ることによって当業者に明らかになるであろう。各図面は、限定する意味で解釈されるべきではない。本願の範囲は、添付の請求項およびそれらの法的均等物によって規定される。
【００４９】
技術は、以下の図面に関連してより完全に理解されるであろう。
【図面の簡単な説明】
【００５０】
【図１】幾つかの実施の形態による、第１のタブおよび第２のタブを備えるパッケージの正面図である。
【図２】第１および第２のタブが反対方向に引っ張られ始めている、図１のパッケージの側面図である。
【図３】３−３線に沿う、図１のパッケージの断面図である。
【図４】パッケージを開封し始めるためにタブが引っ張られている、図３におけるパッケージの断面図である。
【図５】図１における５−５線に沿うパッケージの断面図である。
【図６】パッケージを開封し始めるためにタブが引っ張られている、図５におけるパッケージの断面図である。
【図７】触覚特徴部の異なる実施の形態を伴うパッケージの正面図である。
【図８】触覚特徴部の異なる実施の形態を伴うパッケージの正面図である。
【図９】触覚特徴部のエッジ鈍化実施形態を伴うパッケージの正面図である。
【図１０】パッケージを開封するプロセスの間の、図９におけるパッケージの一部の断面図である。
【図１１】触覚特徴部の異なる実施の形態を伴うパッケージの正面図である。
【図１２】図１１におけるパッケージの一部の断面図である。
【図１３】触覚特徴部の異なる実施の形態を伴うパッケージの正面図である。
【図１４】図１３におけるパッケージの一部の断面図である。
【図１５】触覚特徴部の異なる実施の形態を伴うパッケージの正面図である。
【図１６】図１５におけるパッケージの一部の断面図である。
【図１７】層に刻み目を付ける実施の形態を伴う第１の層の正面図である。
【図１８】層に刻み目を付ける実施の形態を伴う第２の層の正面図である。
【図１９】刻み目を付ける実施の形態を伴うパッケージの正面図である。
【図２０】層に刻み目を付ける実施の形態を伴う第１の層の正面図である。
【図２１】層に刻み目を付ける実施の形態を伴う第２の層の正面図である。
【図２２】刻み目を付ける実施の形態を伴うパッケージの正面図である。
【図２３】製品シールゾーンの異なる実施の形態を伴うパッケージの正面図である。
【図２４】１つの実施の形態によるパッケージの正面図である。
【図２５】１つの実施の形態による、パッケージを形成する方法を示すフローチャートである。
【図２６】１つの実施の形態による、組立てプロセスの間のパッケージのウェブの正面図である。
【図２７】１つの実施の形態による、パッケージ製造装置の概略図である。
【図２８】幾つかの実施の形態による、剥離抑制特徴部を有するパッケージの正面図である。
【図２９】剥離抑制特徴部の代替的な例を包含しているパッケージの正面図である。
【図３０】剥離抑制特徴部の別の代替的な例を包含しているパッケージの正面図である。
【図３１】剥離抑制特徴部の別の代替的な例を包含しているパッケージの正面図である。
【図３２】幾つかの実施の形態によるパッケージの正面図である。
【図３３】幾つかの実施の形態による、剥離妨害特徴部を包含しているパッケージの部分的な正面図である。
【図３４】代替的な剥離妨害特徴部を包含しているパッケージの部分的な正面図である。
【図３５】代替的な剥離妨害特徴部を包含しているパッケージの部分的な正面図である。
【図３６】代替的な剥離妨害特徴部を包含しているパッケージの部分的な正面図である。
【図３７】代替的な剥離妨害特徴部を包含しているパッケージの部分的な正面図である。
【図３８】代替的な剥離妨害特徴部を包含しているパッケージの部分的な正面図である。
【図３９】代替的な剥離妨害特徴部を包含しているパッケージの部分的な正面図である。
【００５１】
本技術は、様々な変更および代替的な形式が可能であるが、その詳細は、例として図面によって示されており、詳細に説明される。しかしながら、その用途は、説明されている特定の実施の形態に限定されないことが理解されるべきである。逆に、その用途は、本技術の思想および範囲に当てはまる変更、均等物および代替例を網羅する。
【００５２】
詳細な説明
本明細書に記載されたパッケージは、概して、製品を収容および提供するように構成されている。製品は、本来医療用であることができ、外科的ニーズ、製薬ニーズ、医療緊急対応者ニーズ等に関連していることができる。幾つかの実施の形態において、製品は、創傷包帯、医療ケア製品、医療装置等である。幾つかの実施の形態において、製品は、食用用途、口腔用途、スキンケア用途、美容用途等に関連していることができる可溶性フィルムなどのシート製品である。シート製品は、概して極めて薄く、その厚さ寸法より著しく大きな幅および長さ寸法を有し、例えば、その幅および長さは、厚さ寸法の少なくとも１０倍であるか、またはその幅および長さは、厚さ寸法の少なくとも１００倍である。シート製品は、時には、平行な側部を有する。幾つかのケースでは、創傷包帯がシート製品である。幾つかの実施の形態において、製品は、錠剤またはタブレットなどの、個人によって消費されることが意図された部分または物体を含むことができる。他の実施の形態において、製品は、個人によって消費されることが意図されていない部分または物体を含むことができる。
【００５３】
概して、パッケージは、第１の層および第２の層を含むことができる。第１の層を、第２の層の上側に被覆させることができる。第１の層および第２の層が共通の外側周縁部を共有するように、第１の層および第２の層は第２の層と同一の広がりを有することができる。
【００５４】
第１の層の幾つかの部分を、第２の層の対応する部分とシールまたは接合させて、１つまたは複数のシールゾーンを画定することができる。第１の層の幾つかの部分は、１つまたは複数のシールされていないゾーンを画定するように、第２の層に対して、分離しているか、シールされていないか、または接合されていないことができる。幾つかの例において、製品シールゾーンは、第１の層および第２の層が互いにシールされている部分である。製品シールゾーンは、製品を配置することができるシールされていないパッケージゾーンを包囲している。製品シールゾーンは、シールされていないパッケージゾーンを露出から保護している。
【００５５】
パッケージは、ヘッダゾーンにおいて１つまたは複数のタブをさらに含む。幾つかの例において、第１の層および第２の層は、第１のタブを創出するように第１の領域において互いにシールされかつ第２のタブを創出するように第２の領域において互いにシールされている。第１のタブおよび第２のタブは、パッケージのシールされていない部分によって製品シールゾーンから分離されていることができる。パッケージのシールされていない部分は、パッケージの第１のエッジから、第１のエッジと反対側のパッケージの第２のエッジまで延びていることができる。第１のタブおよび第２のタブを、第１のタブと第２のタブとの間に隙間を画定するパッケージのエッジによって分離させることができる。
【００５６】
幾つかの例において、パッケージは、パッケージの第１の側（例えば、パッケージの前部）における第１のタブ切込みと、パッケージの反対側（例えば、パッケージの後部）における第２のタブ切込みとを有する。第１のタブ切込みは、パッケージの第２の層に達しない、パッケージの第１の層を貫通した切込みである。第２のタブ切込みは、第１の層に達しない、パッケージの第２の層を貫通した切込みである。幾つかの例において、第１のタブ切込みおよび第２のタブ切込みは重なり合っていない。
【００５７】
幾つかの例において、第１のタブ切込みはパッケージの第１のエッジにおいて始まっており、第１のタブと第２のタブとの間に隙間を画定するパッケージのエッジにおいて途切れている。幾つかの例において、第２のタブ切込みは、パッケージの第１のエッジと反対側のパッケージの第２のエッジにおいて始まっており、第１のタブと第２のタブとの間に隙間を画定するパッケージのエッジにおいて途切れている。幾つかの例において、第１のタブ切込みは、第２のタブ切込みと交差していない。幾つかの例において、第１のタブ切込みおよび第２のタブ切込みは両方とも、パッケージのシールされていない部分に配置されている。幾つかの例において、第１のタブ切込みは製品シールゾーンの第１のエッジに対して平行であり、第２のタブ切込みは製品シールゾーンの第２のエッジに対して平行である。幾つかの例において、第１のタブ切込みは、第２のタブ切込みに対して平行でない。
【００５８】
第１および第２のタブは、１つまたは複数の触覚特徴部を含むことができる。触覚特徴部は、タブに配置された物理的特徴部であることができる。その物理的特徴部は、使用者の指がタブ上で滑るまたはスライドする可能性を低減することによってまたは使用者がタブの位置および開封中に製品を掴むための最善の位置を特定することを助けることによって、パッケージをより容易に開封させることができる。例えば、触覚特徴部は、開口、１つまたは複数のスリット、溝、突出部または凹所であることができる。触覚特徴部は、使用者が開口のエッジにおける鋭いエッジに触れることを防止する、開口のエッジの一部に沿った鈍化エレメントを備えた開口を画定することができる。
【００５９】
パッケージは、第１および第２のタブを掴み、かつこれらのタブを反対方向に引っ張ることによって使用者がパッケージを開封することができるようにすることによって機能する。第１の層が第２の層から剥離させられると、シールが破壊される。これらタブを引き離すことにより、製品シールゾーンにおける第１の層と第２の層との間のシールを破壊させることによって第１の層が第２の層から分離させられる。幾つかの例において、製品シールゾーンは、山形の形状で頂点を有する。
【００６０】
第１および第２のタブを引き離すことによって、シールは製品シールゾーンの頂点において最初に破壊させられる。広いシール面積は、狭いシール面積よりもシールを破壊するためにより大きな力を必要とする。頂点において、シールの幅は狭い。狭い山形は、シールを破るために比較的小さい力を必要とする。第２の層から第１の層を剥離させるために必要とされる力は、ヘッダゾーンのシールされていない領域に隣接した製品シールゾーンの一部におけるパウチの幅を横切ってシールが広くなるにしたがって大きくなる。結局、第１および第２のタブをさらに一層引き離すことにより、製品シールゾーンの側部エッジ部分はシールされない状態になり、これにより、製品パウチのシールされていない領域内に収容された製品が露出させられる。
【００６１】
パッケージは、剥離抑制特徴部を画定することができる。剥離抑制部は、第１の層が第２の層から分離することを妨げることができる。剥離抑制特徴部は、第１の層および第２の層が、ヘッダゾーンと反対側のパッケージの後側エッジにおいて分離することを防止することができる。剥離抑制特徴部は、パッケージが開封されたときに製品パウチ内の製品がパッケージから飛び出るのを防止するために役立つ。
【００６２】
剥離抑制特徴部は、増大した幅または広い幅と狭い幅との間で変化する幅を有する製品シールゾーンの領域を含むことができる。製品シールゾーンのより広い幅は、破壊されることに対するシールの抵抗を高める。これは、第１の層および第２の層が引き離される速度を減速させることができる。製品シールゾーンの内側周縁部は、第１および第２の層が剥離されるときに製品シールゾーンに変化する幅を提供する形状を画定していることができる。例えば、製品シールゾーンの側部エッジは、ヘッダゾーンの近傍に第１の幅を有することができ、ヘッダと反対側のパッケージの端部のより近傍に、増大した幅を有することができる。製品シールゾーンの側部エッジは、ヘッダと反対側のパッケージの端部に第３の幅を有することができる。第３の幅は、ヘッダゾーンの最も近傍の製品シールゾーンの側部エッジの幅と同じ幅であることができる。
【００６３】
パッケージは、パッケージにおいて１つまたは複数の刻み目を含むこともできる。例えば、パッケージは、第１の層における第１の刻み目と、第２の層における第２の刻み目とを有することができる。第１の刻み目は第２の刻み目に対して平行であることができ、パッケージの一方の端部から他方の端部まで延びていることができる。刻み目は、パッケージを開封するときにパッケージの第１および第２の層を分離させることを補助することができる。パッケージは、第１の層における第３の刻み目と、第２の層における第４の刻み目とを含むこともできる。第１および第２のタブ切込みは、刻み目のうちの１つまたは複数と交差していることができる。
【００６４】
別の例において、剥離抑制特徴部は、剥離妨害特徴部を含む。剥離妨害特徴部は、破壊されているシールに増大した抵抗を提供する。剥離抑制特徴部は、第１の層を第２の層から分離させるために使用者が増大した力を加えることを必要とする。幾つかの例において、剥離妨害特徴部は、剥離妨害特徴部の位置においてシールが完全に破壊されることを防止する。別の例において、剥離妨害特徴部は、剥離妨害特徴部の位置において、第１の層が第２の層から分離する態様を変化させる。それぞれの場合において、剥離妨害特徴部は、使用者が第１および第２の層を剥離することを減速または停止させるために触覚フィードバックを提供する。第１のタブおよび第２のタブが、剥離抑制特徴部が作動させられる程度に十分に引き離されると、使用者は、シールされていないパウチ領域から製品を取り出すことができる。剥離妨害部は、圧着部、第１および第２の層のうちの一方または両方における切込み、エッジ切込み、切欠、超音波溶接部または溶接部を含むことができる。
【００６５】
様々な実施の形態は、パッケージを形成する方法をも含む。方法は、第１の層ウェブおよび第２の層ウェブを提供する工程と、第１の層ウェブまたは第２の層ウェブのいずれか一方におけるパウチ領域に製品を配置する工程と、パウチ領域を包囲するシールによって第１の層が第２の層に接合されるように、製品シールゾーンにおいて第１の層を第２の層にシールすることによって、複合ウェブを形成する工程と、製品シールゾーンの外側周縁部に隣接したシールされていないヘッダゾーンを残す工程と、を含む。第１の層ウェブは、シールされていないヘッダゾーンにおいて第２の層ウェブにシールされていない。個々のパッケージは、複合ウェブから個々のパッケージを分離させるために、外側パッケージ周縁部の周りで切断される。切断する工程は、パッケージに第１のタブゾーンの境界を画定するために、シールされていないヘッダゾーン内の第１のタブ切込み位置において第１の層を切断する工程をさらに含む。切断する工程は、パッケージに第２のタブゾーンの境界を画定するために、シールされていないヘッダゾーン内の第２のタブ切込み位置において第２の層を切断する工程も含む。幾つかの実施の形態において、第１の層および第２の層は刻み目を入れられており、第１および第２の刻み目はそれぞれ、製品シールゾーンの一部およびパウチ領域の一部を横切っている。幾つかの例において、複合ウェブを形成する工程は、第１のタブシールゾーンおよび第２のタブシールゾーンにおいて第１の層ウェブを第２の層ウェブにシールする工程を含む。第１の層および第２の層は、第１のタブゾーンと第２のタブゾーンとの間に隙間を画定するように切断することもできる。
【００６６】
ここで図面を参照すると、図１は、幾つかの実施の形態によるパッケージ１００の正面図を示している。パッケージは、第１の層２０２および第２の層を有することができる。第２の層２０４は、図１には示されていないが、図２〜図６に見ることができる。第１の層２０２は、第２の層２０４の上側に配置することができる。様々な実施の形態において、第１の層２０２および第２の層２０４が共通の外側周縁部１３６を共有するように、第１の層２０２は第２の層２０４と同一の広がりを有する。様々な実施の形態において、２つの層２０２，２０４が実質的に同じ形状およびサイズを有するように、第１の層２０２は第２の層２０４と同じ外側周縁部を有する。層２０２，２０４は、両層が合理的な製造公差範囲にあるように、実質的に同じ形状およびサイズであることができる。
【００６７】
第１の層２０２は、１つまたは複数のシールゾーンにおいて第２の層２０４と接合させることができる。幾つかの実施の形態において、パッケージ１００は、製品シールゾーン１０６を有する。製品シールゾーン１０６の内側周縁部１０８は、シールされていないパウチ領域１１０を画定していることができる。シールされていないパウチ領域１１０は、パッケージ１００内に製品１１２を収容または貯蔵するように構成することができる。上述のように、製品１１２はシート製品を含むことができる。幾つかの実施の形態において、シールされていないパウチ領域１１０は、図１に示したように、不規則な五角形などの、五角形であることができる。幾つかの実施の形態において、製品シールゾーン１０６の複数の部分は、第１のタブ１２２と第２のタブ１２４との間に配置された隙間１２０に先端を向けられているか、または隙間１２０に向かって角度が付けられていることができる。製品シールゾーン１０６は、ヘッダゾーン１１８または使用者がパッケージを開封させ始めるパッケージ１００の端部に先端を向けられているか、またはその端部に向けて角度が付けられていることができる。製品シールゾーン１０６の先端を向けられた、または角度が付けられた頂点１０１により、使用者は、シールを破壊するためにより小さな力を使用することができる。なぜならば、製品シールゾーン１０６の他の部分と比較して、頂点１０１においてシールのより小さな領域が、シールが破壊されることに抵抗するからである。頂点１０１において角度が付けられ、または先端を向けられていることに加え、製品シールゾーン１０６は、最初に破壊される剥離可能シールの部分が、剥離可能シールの後続の部分よりも、第１の層２０２を第２の層２０４から分離させるためにより小さな力を必要とするように湾曲させられているか、または段状になっていることができる。
【００６８】
製品シールゾーン１０６は、剥離可能シールによって第１の層２０２が第２の層２０４に接合されている領域を含むことができる。剥離可能シールは、シールされていないパウチ領域１１０内の製品１１２へのアクセスを提供するために、剥離されるまで２つの層２０２，２０４を互いに固定していることができる。幾つかの実施の形態において、第１の層２０２および第２の層２０４は、製品シールゾーン１０６において互いに融着させることができる。
【００６９】
製品シールゾーン１０６の外側周縁部１１４は、部分的に、パッケージ１００の周縁部に沿って配置することができる。製品シールゾーン１０６の外側周縁部１０６の一部は、パッケージ１００の内側部分を横切って延びているなど、パッケージ１００の外側周縁部内に配置することができる。幾つかの実施の形態において、製品シールゾーン１０６の外側周縁部１１４の一部は、ヘッダゾーン１１８の一部などの、シールされていない部分１１６に隣接していることができる。
【００７０】
パッケージ１００は、ヘッダゾーン１１８を有することができる。ヘッダゾーン１１８とは、製品１１２を収容していないパッケージ１００の部分を意味することができる。ヘッダゾーン１１８は、製品１１２にアクセスするために使用者がパッケージ１００を容易に開封することを可能にするパッケージ１００の部分を意味することができる。ヘッダゾーン１１８は、隙間１２０と、第１のタブ１２２と、第２のタブ１２４と、第１のタブ切込み１２６と、第２のタブ切込み１２８とを有することができる。
【００７１】
幾つかの実施の形態において、パッケージ１００は、第１のタブ１２２と第２のタブ１２４との間に隙間１２０を画定している。様々な実施の形態において、ヘッダゾーン１１８は隙間１２０を画定していることができる。隙間１２０は、パッケージ１００の概して矩形の外形から内方へ、シールされていないパウチ領域１１０または製品シールゾーン１０６などに向かって、パッケージ１００の中央に向かって延びていることができる。パッケージの外側周縁部は、隙間を画定するようにパッケージ１００の中央に向かって内方へ延びていることができる。幾つかの実施の形態において、パッケージ１００の外側周縁部は、タブ１２２，１２４を互いに分離させる隙間１２０を画定するように２つのタブ１２２，１２４の間に内方へ延びている。幾つかの実施の形態において、隙間１２０は、第１のエッジ１３８と第２のエッジ１３９との間で等距離であるように、パッケージ１００のエッジ１３７の中央から内方へ延びている。幾つかの実施の形態において、隙間１２０は、第１のタブシールゾーン１３０の一部および第２のタブシールゾーン１３２の一部を超えて延びている。幾つかの実施の形態において、隙間１２０は、ヘッダゾーン１１８のシールされていない部分１１６などのような、ヘッダゾーン１１８内で途切れている。隙間１２０は、第１のタブ１２２と第２のタブ１２４との間に配置することができる。
【００７２】
幾つかの実施の形態において、隙間１２０は、開放端部１１９および閉鎖端部１２１を有し、閉鎖端部１２１は、開放端部１１９より製品シールゾーン１０６に近い。幾つかの実施の形態において、閉鎖端部１２１は、湾曲したエッジ、山形のエッジまたは直線的なエッジを有する。
【００７３】
第１のタブ１２２および第２のタブ１２４はそれぞれ、パッケージ１００を開封するとき使用者によって保持されることができる。第１のタブ１２２は、層を互いに分離させることによって剥離可能シールの一部を破壊するために、第２のタブ１２４と反対方向に引っ張るまたは押すことができる。層を互いに分離させることにより、使用者は、パッケージ１００を開封し、シールされていないパウチ領域内の製品へアクセスすることができる。幾つかの実施の形態において、層のうちの一方を他方の層から剥離させるなどして、第１の層２０２を第２の層２０４から分離させることによって、パッケージ１００を開封させることができる。剥離可能シール領域は、一方の層が他方の層から剥離されるまで接合されている２つの層を有するように構成することができる。剥離可能シール領域は、第１の層が第２の層から分離されたときにシールが破壊されるが各層は比較的無傷のままであるように構成することができる。
【００７４】
第１のタブ切込み１２６は、第１の層２０２における切込みまたは分離であることができる。第１のタブ切込み１２６は、ヘッダゾーン１１８の残りからの第１のタブ１２２の境界を画定していることができる。幾つかの実施の形態において、第１のタブ切込み１２６は、製品シールゾーン１０６と第１のタブシールゾーン１３０との間に配置されている。幾つかの実施の形態において、第１のタブ切込み１２６の両側に位置するパッケージ１００の部分は、シールされていない。第１のタブ切込み１２６は、第１の層２０２の一部を第１の層２０２の別の部分から分離させることができる。幾つかの実施の形態において、第１のタブ切込み１２６は、第１の層２０２のみを貫通しており、第２の層２０４を貫通していないか、または第２の層２０４内へ達していない。幾つかの実施の形態において、第１のタブ切込み１２６は、第１の層２０２を完全に貫通しており、第２の層２０４内へ達していない。幾つかの実施の形態において、第１の層２０２における第１のタブ切込み１２６に対応する位置において第２の層２０４には切込みが存在しない。第１のタブ切込み１２６は、パッケージ１００の外側周縁部から内方へ延びていることができる。様々な実施の形態において、第１のタブ切込み１２６は隙間１２０において途切れている。幾つかの実施の形態において、第１のタブ切込み１２６は、パッケージ１００の外側周縁部から隙間１２０へ延びている。
【００７５】
幾つかの実施の形態において、第１のタブ切込み１２６は、図１に示したように、その長さに沿って第１の層２０２を貫通した連続的な切込みである。幾つかの実施の形態において、第１のタブ切込み１２６は、一列の一連の小さな切込みなどの、ミシン目切込み線である。
【００７６】
第１のタブ１２２は、第１のタブシールゾーン１３０を含むことができる。第１のタブシールゾーン１３０は、剥離可能シールなどのシールによって第１の層２０２が第２の層２０４に接合されている領域を含むことができる。幾つかの実施の形態において、第１のタブシールゾーン１３０は、第１の層２０２と第２の層２０４とが永久に接合されているか、または２つの層２０２，２０４のうちの少なくとも一方の少なくとも一部を破壊することなしには分離させることができないように、第１の層２０２が剥離不可能なシールによって第２の層２０４に接合されている領域を有することができる。幾つかの実施の形態において、シールされていない領域は、第１のタブシールゾーン１３０を第１のタブ切込み１２６から分離していることができる。
【００７７】
第２のタブ切込み１２８は、第２の層２０４における切込みまたは分離であることができる。第２のタブ切込み１２８は、ヘッダゾーン１１８の残りからの第２のタブ１２４の境界を画定していることができる。幾つかの実施の形態において、第２のタブ切込み１２８は、製品シールゾーン１０６と第２のタブシールゾーン１３２との間に位置している。幾つかの実施の形態において、第２のタブ切込み１２８の両側に位置するパッケージ１００の部分は、シールされていない。第２のタブ切込み１２８は、第２の層２０４の一部を第２の層２０４の別の部分から分離させることができる。幾つかの実施の形態において、第２のタブ切込み１２８は、第２の層２０４のみを貫通しており、第１の層２０２を貫通していないか、または第１の層２０２内へ達していない。幾つかの実施の形態において、第２のタブ切込み１２８は、第２の層２０４を完全に貫通しており、第１の層２０２内へ達していない。幾つかの実施の形態において、第２の層２０４における第２のタブ切込み１２８に対応する位置において第１の層２０２には切込みが存在しない。第２のタブ切込み１２８は、パッケージ１００の外側周縁部から内方へ延びていることができる。様々な実施の形態において、第２のタブ切込み１２８は隙間１２０において途切れている。幾つかの実施の形態において、第２のタブ切込み１２８は、パッケージ１００の外側周縁部１３６から隙間１２０へ延びている。幾つかの実施の形態において、第１のタブ切込み１２６および第２のタブ切込み１２８は、パッケージ１００の周縁部の反対側のエッジまで延びている。幾つかの実施の形態において、第１のタブ切込み１２６は、パッケージ１００の第１の側部エッジ１３８まで延びており、第２のタブ切込み１２８は、第１の側部エッジ１３８と反対側のパッケージ１００の第２の側部エッジ１３９まで延びている。幾つかの実施の形態において、第１のタブ切込み１２６および第２のタブ切込み１２８は、隙間１２０の互いに反対の側から、パッケージ１００の周縁部の対応する反対側のエッジまで延びている。
【００７８】
図１は、第２のタブ切込み１２８を破線で示している。なぜならば、第２のタブ切込み１２８は、第２の層２０４に設けられているため、図１の前側全体図では見えていないからである。図１の実施の形態において、第２のタブ切込み１２８は、その長さに沿って第２の層２０４を貫通した連続的な切込みである。幾つかの実施の形態において、第２のタブ切込み１２８は、一列の一連の小さな切込みなどの、第２の層２０４におけるミシン目切込み線である。
【００７９】
様々な実施の形態において、第１のタブ切込み１２６は、第２のタブ切込み１２８に対して平行でない。様々な実施の形態において、第１のタブ切込み１２６は、第２のタブ切込み１２８と交差していない。様々な実施の形態において、第１のタブ切込み１２６は、第２のタブ切込み１２８とクロスオーバまたは交差していない。様々な実施の形態において、第１のタブ切込み１２６は、第２のタブ切込み１２８と異なる平面にある。
【００８０】
第２のタブ１２４は、第２のタブシールゾーン１３２を含むことができる。第２のタブシールゾーン１３２は、剥離可能シールなどのシールによって第１の層２０２が第２の層２０４に接合されている領域を含むことができる。幾つかの実施の形態において、第１の層２０２は、第２のタブシールゾーン１３２における剥離不可能なシールによって第２の層２０４に接合されている。幾つかの実施の形態において、シールされていない領域は、第２のタブシールゾーン１３２を第２のタブ切込み１２８から分離していることができる。幾つかの実施の形態において、製品シールゾーン１０６と、第１のタブシールゾーン１３０および第２のタブシールゾーン１３２との間のシールされていない部分は、パッケージ周縁部の一方のエッジからパッケージ周縁部の反対側のエッジまでパッケージを横切って延びている。
【００８１】
幾つかの実施の形態において、第１のタブシールゾーン１３０のエッジは第１のタブ切込み１２６に対して平行である。幾つかの実施の形態において、第２のタブシールゾーン１３２のエッジは第２のタブ切込み１２８に対して平行である。幾つかの実施の形態において、第１のタブ切込み１２６は製品シールゾーン１０６の一部に対して平行である。幾つかの実施の形態において、第２のタブ切込み１２８は製品シールゾーン１０６の一部に対して平行である。
【００８２】
幾つかの実施の形態において、パッケージ１００は、第１のタブシールゾーン１３０を含むことができ、第２のタブシールゾーン１３２を含まない。幾つかの実施の形態において、パッケージ１００は、第２のタブシールゾーン１３２を含むことができ、第１のタブシールゾーン１３０を含まない。幾つかの実施の形態において、パッケージ１００は、第１のタブシールゾーン１３０および第２のタブシールゾーン１３２の両方を含むことができる。幾つかの実施の形態において、パッケージ１００は、第１のタブ１２２または第２のタブ１２４のいずれかにおいてシールゾーンを含まない。
【００８３】
様々な実施の形態において、パッケージ１００は、１つまたは複数の触覚特徴部１３４を含むことができる。幾つかの実施の形態において、第１のタブ１２２および第２のタブ１２４はそれぞれ触覚特徴部１３４を含む。触覚特徴部１３４は、触覚特徴部１３４が配置されているタブの残部からの、パッケージ１００における物理的な逸脱または変化であることができる。触覚特徴部１３４は、パッケージを開封させるときなどに、第１のタブ１２２または第２のタブ１２４を使用者が掴むのを補助することができる。幾つかの実施の形態において、触覚特徴部１３４は、開口、スリット、溝、突出部、凹所、くぼみ、リッジおよび突起から成る群から選択されている。触覚特徴部１３４は、リッジ、くぼみまたは突起などの、パッケージの突出した部分を含むことができる。触覚特徴部１３４は、第１の層２０２および第２の層２０４の両方を貫通した切込みなどの、切込みまたはスリットを有することができる。様々な実施の形態において、例えば、スリットまたは切込みは、材料を除去することなくパッケージ（第１のタブ１２２または第２のタブ１２４など）における隣接する材料を分離させることのみを含むことができ、スリットまたは切込みは、線であることができ、いかなる実質的な面積も有しない。幾つかの実施の形態において、触覚特徴部１３４は、パッケージの凹まされた、または除去された部分を含むことができる。幾つかの実施の形態において、パッケージ１００の一部のみが除去され、第１のタブ１２２または第２のタブ１２４において、１つまたは複数のトレンチ、溝または凹所を形成するようになっている。幾つかの実施の形態において、パッケージ１００の一部が完全に除去され、貫通孔または開口を形成するようになっている。貫通孔または開口は、円形（図１に示されいている）または楕円形（図８に示されている）など、多くの異なる形状の形態を成すことができる。正方形、矩形、三角形または不規則な形状などのその他の形状も可能である。
【００８４】
幾つかの実施の形態において、第１のタブ１２２は触覚特徴部１３４を有することができ、例えば、触覚特徴部１３４を第１のタブシールゾーン１３０内に配置することができる。幾つかの実施の形態において、第２のタブ１２４は、第２のタブシールゾーン１３２内に配置された触覚特徴部１３４などの触覚特徴部１３４を有することができる。様々な実施の形態において、第１のタブの触覚特徴部１３４は、第２のタブの触覚特徴部１３４と同じであることができる。
【００８５】
図２は、１つの実施の形態による、開封されようとしているパッケージ１００の側面図を示している。使用者は、製品にアクセスするためにパッケージ１００を開封することができる。パッケージ１００を開封するために、使用者は、第１の層２０２を第２の層２０４から分離させることができる。使用者は、一方の手で第１のタブ１２２を、他方の手で第２のタブ１２４を掴むまたは保持することができる。様々な実施の形態において、使用者は、各タブにおける触覚特徴部１３４を掴むまたは保持することができる。使用者は、第１のタブ１２２を第１の方向へ、第２のタブ１２４を第２の方向へ引っ張ることによって層を分離させることができる。使用者が第１のタブ１２２を第２のタブ１２４から引き離すように、第１の方向は第２の方向と反対であることができる。タブ１２２，１２４を反対方向へ引っ張ることにより、製品シールゾーン１０６における剥離可能シールの少なくとも一部を破壊することができ、第１の層２０２を第２の層２０４から分離させることができる。図１の例に示されているように、ヘッダゾーン１１８に先端を向けられ、またはヘッダゾーン１１８に向かって角度が付けられた製品シールゾーン１０６は、先端を向けられていないか、または角度が付けられていないシールゾーン、または側部から側部へパッケージを横切って直線的に延びるシールゾーンと比較して、第１の層２０２を第２の層２０４から分離させるために使用者が加える必要がある力の大きさを減じることができる。層を分離させるために必要とされる力は、層が分離される方向に対して垂直にパッケージを横切って延びるシールされた領域を分離させるのとは反対に、先端または角度の先端部においてその部分を分離させることのみによる開始の結果であることができる。第１の層２０２が第２の層２０４から少なくとも部分的に分離されると、製品をパッケージ１００から拾い上げ、取り出すなどのために、使用者は、シールされていないパウチ領域１１０へアクセスすることができる。
【００８６】
図２に示されているように、タブ１２２，１２４を反対方向へ引っ張り、製品シールゾーン１０６におけるシールを破壊することによって、第１の層２０２の大部分を、第２の層２０４の大部分から分離させることができる。第２のタブ１２４の一部である第２の層２０４の一部など、第２の層２０４の一部は、第１の層２０２と接合されたままであることができる。同様に、第１のタブ１２２の一部である第１の層２０２の一部など、第１の層２０２の一部は、第２の層２０４と接合されたままであることができる。さらに、パッケージの、ヘッダゾーン１１８とは反対側の端部にある製品シールゾーン１０６の一部は、パッケージ１００が開封されるときに無傷のままであることができる。これにより、パッケージ１００が開封されるとき、第１の層２０２は、製品シールゾーン１０６の一部に沿って第２の層２０４と接合されたままであることができる。
【００８７】
パッケージ１００を開封するときに使用者を補助するために、幾つかの実施の形態において、パッケージをどのように開封するかを示すように、層２０２，２０４の一方または両方に印を印刷することができる。幾つかの実施の形態において、印は、パッケージを開封するためにどの方向に各タブが引っ張られるべきかに関する情報を含むことができる。幾つかの実施の形態において、層またはタブの一部は、タブが引っ張られるべき方向を示すように着色することができる。
【００８８】
図３〜図６は、層、製品、シールゾーンおよびシールされていない領域の関係を説明することを補助するためのパッケージ１００の概略的な断面図であり、実寸で描かれていない。例えば、図３〜図６において、シールされていない製品領域１１０およびシールされていないヘッダ部分１１６は、これらの領域において２つの層の間にシールが存在しないことを示すために、第１および第２の層の間に間隙を有するように示されている。しかしながら、現実には、第１および第２の層は、おそらく、シールされていない製品領域１１０において（製品１１２が介在しているところを除く）およびシールされていないヘッダ部分１１６において、互いにシールされていないが、互いに接触している。図３〜図６の概略図において、製品シールゾーン１０６は、理解しやすくするために別個の構造であるように見えるが、現実には、これは、別個の構造ではない層の間の結合を表している。
【００８９】
図３は、１つの実施の形態による、図１における３−３線に沿うパッケージ１００の断面図である。両層２０２，２０４が同じ外側境界を有するように、第１の層２０２を第２の層２０４と揃えることができる。様々な実施の形態において、第１の層２０２は、第２の層２０４と同じ寸法を有することができる。幾つかの実施の形態において、第１の層２０２は、第２の層２０４と同じ材料を含むことができる。幾つかの実施の形態において、第１の層２０２は、第２の層２０４と同じ形状を有することができる。幾つかの実施の形態において、第１の層２０２は、第２の層２０４と同じ厚さを有することができる。様々な実施の形態において、第１の層２０２は、第２の層２０４と実質的に同じであることができる。図３は、第１の層２０２における第１のタブ切込み１２６を示している。第２のタブ切込み１２８は示されていない。なぜならば、図３の断面図は、パッケージの第１のタブ側を向いているからである。この図において、製品シールゾーン１０６は断面図で示されているが、第１のタブシールゾーン１３０は側面図で示されている。第１の層２０２における第１の境界部分１０１は、製造プロセスの間に第１のタブ切込み１２６が第１の層２０２に形成されるとき、第１のタブ１２２から切り離される。しかしながら、第１の境界部分１０１は、第２のタブ１２４（図３に示されていない）に連続している。なぜならば、第１の層２０２および第２の層２０４は、第２のタブシールゾーン１３２において互いにシールされているからである。
【００９０】
図４は、パッケージが開封されようとしているときの図３の断面図を示している。図４の視点から、第２のタブ１２４（図示せず）は、第１のタブ１２２から反対方向へ引き離されている。第１の境界部分１０１は、第２のタブ１２４の力によって第１のタブ１２２から引き離される。なぜならば、第１の境界部分１０１は第２のタブ１２４に連続しているからである。第２のタブ１２４を第１のタブ１２２から引き離すために十分な大きさの力が使用者によって加えられると、製品シールゾーン１０６の頂点１５０においてシールが破壊される。
【００９１】
図５は、図３の反対の図を示している。図５は、図１における５−５線に沿ったパッケージの断面図を示している。図５は、第２の層２０４における第２のタブ切込み１２８を示している。図５は、さらに、第２のタブ切込み１２８の上方の第２のタブ１２４を示している。第１のタブ切込み１２６は示されていない。なぜならば、図５の断面図は、パッケージの第２のタブ側を向いているからである。この図において、製品シールゾーン１０６は断面図で示されているが、第２のタブシールゾーン１３２は側面図で示されている。第２の層２０４における第２の境界部分５０１は、図３に示された第１の境界部分１０１と同様である。第２の境界部分５０１は、製造プロセスの間に第２のタブ切込み１２８が第２の層２０４に形成されるとき、第２のタブ１２４から切り離される。第２の境界部分５０１は、第１のタブ１２２（図５に示されていない）に連続している。なぜならば、第１の層２０２および第２の層２０４は、第１のタブシールゾーン１３０において互いにシールされているからである。
【００９２】
図６は、図４と同様に、パッケージが開封されているときの図５の断面図を示している。図６の視点から、第１のタブ１２２（図示せず）は、第２のタブ１２４から反対方向へ引き離されている。第２の境界部分５０１は、第１のタブ１２２の力によって第２のタブ１２４から引き離される。なぜならば、第２の境界部分５０１は第１のタブ１２２に連続しているからである。第１のタブ１２２を第２のタブ１２４から引き離すために十分な大きさの力が使用者によって加えられると、製品シールゾーン１０６の頂点１５０においてシールが破壊される。
【００９３】
図７は、１つの実施の形態によるパッケージ７００の正面図を示している。パッケージ７００は、製品シールゾーン７０６と、シールされていないパウチ領域７１０と、第１のタブ７２２と、第２のタブ７２４と、第１のタブ切込み７２６と、第２のタブ切込み７２８とを有することができる。パッケージ７００は、隙間７２０を画定していることができる。
【００９４】
幾つかの実施の形態において、パッケージ７００は、１つまたは複数の触覚特徴部７３４を含むことができる。幾つかの実施の形態において、触覚特徴部７３４は、第１の層２０２および第２の層２０４の両方を貫通した１つまたは複数のスリットまたは切込みを有することができる。スリットは、使用者の手が滑ることなく使用者がタブを保持しかつ引っ張る能力を高めることができる。このような触覚特徴部は、使用者が、微細運動段階にある、部分的に障がいを持つ、手袋をはめている、または濡れている、または滑りやすい環境において作業しているとき、特に有利であることができる。幾つかの実施の形態において、スリットはV字形であることができる。幾つかの実施の形態において、触覚特徴部７３４は、１つよりも多いスリットまたは切込みを有することができる。幾つかの実施の形態において、触覚特徴部７３４は、３つのV字形スリットなどの、少なくとも３つのスリットを有することができる。幾つかの実施の形態において、各スリットは互いに同じであることができる。幾つかの実施の形態において、スリットは、第１の層２０２または第２の層２０４から材料を除去することによって画定されていない。スリットは、切断することなどによって、層の複数の部分を、それら自体から分離させることによって、画定することができる。
【００９５】
図８は、１つの実施の形態によるパッケージ８００の正面図を示している。パッケージ８００は、製品シールゾーン８０６と、シールされていないパウチ領域８１０と、第１のタブ８２２と、第２のタブ８２４と、第１のタブ切込み８２６と、第２のタブ切込み８２８とを有することができる。パッケージ８００は、隙間８２０を画定していることができる。
【００９６】
幾つかの実施の形態において、パッケージ８００は、１つまたは複数の触覚特徴部８３４を含むことができる。幾つかの実施の形態において、触覚特徴部８３４は、楕円形の開口であることができる。開口は、第１の層２０２および第２の層２０４の両方を貫通していることができる。幾つかの実施の形態において、開口は、使用者が、彼または彼女の指先の全部または一部を開口に挿入することができるように構成されている。幾つかの実施の形態において、触覚特徴部８３４は、触覚特徴部８３４が配置されているタブの面積の少なくとも２５％を占めていることができ、例えば、開口は、タブの面積の２５％をカバーしているか、または除去している。幾つかの実施の形態において、触覚特徴部８３４は、触覚特徴部が配置されているタブの面積の少なくとも５０％を占めていることができる。
【００９７】
図９は、１つの実施の形態によるパッケージ９００の正面図を示している。パッケージ９００は、第１の層９０２および第２の層９０４（図１０に示されている）を含むことができる。パッケージ９００は、製品シールゾーン９０６、シールされていないパウチ領域９１０、第１のタブ９２２、第２のタブ９２４、第１のタブ切込み９２６、第２のタブ切込み９２８、第１のタブシールゾーン９３０および第２のタブシールゾーン９３２を含むことができる。パッケージ９００は隙間９２０を画定していることができる。幾つかの実施の形態において、パッケージ９００は、１つまたは複数の触覚特徴部９３４を含むことができる。幾つかの実施の形態において、触覚特徴部９３４は、図８に示されかつ図８に関して説明されたものと同様の、ただし鈍化エレメント９３５をも含む開口を画定していることができる。鈍化エレメント９３５は、触覚特徴部９３４が、第１および第２の層を貫通した開口を含むときなどに、触覚特徴部９３４のエッジを鈍らせるまたは丸みづけることができる。鈍化エレメント９３５は、触覚特徴部９３４のエッジの鋭利さを低減するように構成することができる。鈍化エレメント９３５は、１つまたは複数のフィン切込み９３６によって分離された２つ以上のフィンを有する。これらのフィンは、使用者の指が鈍化エレメントと相互作用したときに曲がり、これにより、切断エッジではなく、折り曲げられたエッジが使用者の指に接触する。鈍化エレメントは、フィンを曲げやすくするひだ９３７も有する。鈍化エレメント９３５は、開口エッジの一部に沿って位置付けられている。幾つかの実施の形態において、鈍化エレメントは、第１または第２の層のうちの少なくとも一方の折り曲げられた部分を含む。
【００９８】
図１０は、図９における１０−１０線に沿うパッケージ９００の断面図を示している。図１０は、使用者の指が鈍化エレメント９３６に接触するときのように、ひだ線９３７に沿って折り曲げられた曲げ位置における鈍化エレメント９３５を示している。幾つかの実施の形態において、鈍化エレメント９３５は、第２の層９０４によってシールされた第１の層９０２を有するパッケージ９００の一部にわたって折り曲げることを含むことができ、これにより、一方の層は、それ自体の上へ折り返され（図１０における第２の層９０４）、他方の層（図１０における第１の層９０２）は、ひだ９３７において触覚特徴部９３４のエッジまたは部分を画定する。幾つかの実施の形態において、パッケージ９００は、パッケージ９００が製造されるときに鈍化エレメント９３５としての折り曲げられた部分を有することができる。代替的な実施の形態において、使用者の指は、パッケージ９００を開封する前に、鈍化エレメント９３５を形成するように、パッケージ９００の指定された部分の折曲げを生じさせることができる。
【００９９】
図１１は、１つの実施の形態によるパッケージ１１００の正面図を示している。パッケージ１１００は、製品シールゾーン１１０６と、シールされていないパウチ領域１１１０と、第１のタブ１１２２と、第２のタブ１１２４と、第１のタブ切込み１１２６と、第２のタブ切込み１１２８とを含むことができる。パッケージ１１００は、隙間１１２０を画定していることができる。
【０１００】
幾つかの実施の形態において、パッケージ１１００は、１つまたは複数の触覚特徴部１１３４を含むことができる。幾つかの実施の形態において、触覚特徴部１１３４は、図１１および図１２に示されているように、隆起した突起を含むことができる。図１２は、図１１におけるパッケージ１１００の一部の断面図を示している。突出した突起は、パッケージ１１００を開封させるときに使用者によって掴むことができる。幾つかの実施の形態において、第１のタブ１１２２は、１つの隆起した突起を有し、第２のタブ１１２４は、１つの隆起した突起を有する。幾つかの実施の形態において、第１のタブ１１２２の隆起した突起は、パッケージの、第２のタブ１１２４の隆起した突起と同じ側にあることができる。代替的な実施の形態において、第１のタブ１１２２の隆起した突起は、突起が反対方向に延びることができるように、パッケージ１１００の、第２のタブ１１２４の隆起した突起と反対側にあることができる。
【０１０１】
幾つかの実施の形態において、第１のタブ１１２２は、パッケージの各側に１つなど、２つの隆起した突起を含む。様々な実施の形態において、第２のタブ１１２４も、パッケージ１１００の互いに反対の側に２つの隆起した突起を有することができ、これにより、各タブ１１２２，１１２４がパッケージ１１００の各側に１つの隆起した突起を有する。
【０１０２】
図１３は、１つの実施の形態によるパッケージ１３００の正面図を示している。パッケージ１３００は、製品シールゾーン１３０６と、シールされていないパウチ領域１３１０と、第１のタブ１３２２と、第２のタブ１３２４と、第１のタブ切込み１３２６と、第２のタブ切込み１３２８とを含むことができる。パッケージ１３００は、隙間１３２０を画定していることができる。
【０１０３】
幾つかの実施の形態において、パッケージ１３００は、１つまたは複数の触覚特徴部１３３４を含むことができる。幾つかの実施の形態において、触覚特徴部１１３４は、図１３および図１４に示されているように、複数の隆起した突起を含むことができる。幾つかの実施の形態において、第１のタブ１３２２は、パッケージ１３００の一方の側に複数の隆起した突起を含むことができる。幾つかの実施の形態において、第１のタブ１３２２は、（図１４に示されているように）パッケージ１３００の両方の側に複数の隆起した突起を含むことができる。第２のタブ１３２４も、パッケージ１３００の一方または両方の側に複数の隆起した突起を含むことができる。幾つかの実施の形態において、第１のタブ１３２２は、パッケージ１３００の一方の側に複数の隆起した突起を含むことができ、第２のタブ１３２４は、パッケージ１３００の他方の側に複数の隆起した突起を含むことができる。幾つかの実施の形態において、複数の隆起した突起を、縦横の列で配置された突起を有するなど、反復するパターンで配置することができる。
【０１０４】
図１５は、幾つかの実施の形態によるパッケージ１５００の正面図を示している。パッケージ１５００は、製品シールゾーン１５０６と、シールされていないパウチ領域１５１０と、第１のタブ１５２２と、第２のタブ１５２４と、第１のタブ切込み１５２６と、第２のタブ切込み１５２８とを含むことができる。パッケージ１５００は、隙間１５２０を画定していることができる。
【０１０５】
幾つかの実施の形態において、パッケージ１５００は、１つまたは複数の触覚特徴部１５３４を含むことができる。幾つかの実施の形態において、触覚特徴部１５３４は、反復する切り返し部分を含むパッケージの部分などの、ジグザグ部分を含むことができる。図１６に示されているように、複数の切り返し部分を形成するために、第１および第２の層の折曲げまたはひだ部分によって、パッケージ１５００に模様を画定することができる。
【０１０６】
様々な実施の形態において、パッケージは、第１の層および／または第２の層に１つまたは複数の刻み目を含むことができる。刻み目は、シールされていないパウチ領域内の製品へアクセスするなどのために、層の一部を層の隣接する部分から裂断または分離させることを促進する、層のミシン目、溝または弱められた部分を含むことができる。幾つかの実施の形態において、刻み目は、レーザ刻み目であることができ、たとえば、層内で焼かれ、または溶融させられている。刻み目を含む幾つかの実施の形態において、パッケージは、シールゾーンに沿って層を分離させることなどをせずに、製品へアクセスするために刻み目に沿って層のうちの一方または両方を裂断させることによって開封することができる。第１および／または第２の層に刻み目を付けること含む幾つかの実施の形態において、製品シールゾーンは、剥離不能なシールを有することができ、これにより、剥離不能なシールであるシールの一部に沿って２つの層を分離させようとすると、結果として、シールに隣接した層の部分が裂断または破壊させられる。
【０１０７】
図１７〜図１９は、パッケージ１９００の１つの実施の形態を示している。図１７は、パッケージ１９００のための第１の層１７０２の正面図を示している。図１８は、パッケージ１９００のための第２の層１８０４の正面図を示している。図１９は、第１の層１７０２および第２の層１８０４を有するパッケージ１９００の正面図を示している。
【０１０８】
幾つかの実施の形態において、第１の層１７０２は、パッケージの一方の側部エッジに沿うとともに、シールされていないパウチ領域の側部エッジに沿って延びる第１の刻み目１７７０を含むことができる。第１の層１７０２は、パッケージの一方の側部エッジに沿うとともに、シールされていないパウチ領域の側部エッジに沿って延びる第２の刻み目１７７２をさらに含むことができる。第１の層１７０２は、タブ切込み１７２６をさらに含むことができる。幾つかの実施の形態において、第１の刻み目および第２の刻み目は、図１７〜図１９に示されているように、パッケージの一方の端部からパッケージの反対側の端部まで延びている。幾つかの実施の形態において、タブ切込み１７２６は、隙間から刻み目１７７０，１７７２のうちの一方まで延びていることができる。
【０１０９】
第１の層１７０２と同様に、第２の層１８０４は、第１の刻み目１８７４を含むことができ、幾つかの実施の形態において、第２の刻み目１８７６を含むことができる。様々な実施の形態において、第１の刻み目１８７４および第２の刻み目１８７６は平行であることができる。様々な実施の形態において、第１の刻み目１８７４および第２の刻み目１８７６はそれぞれ、パッケージの一方の端部からパッケージの反対側の端部まで延びていることができる。第２の層１８０４も、タブ切込み１８２８を含むことができる。タブ切込み１８２８は、隙間から刻み目１８７４，１８７６のうちの一方まで延びていることができる。
【０１１０】
図１９は、第１の層１７０２を上にした正面図でパッケージ１９００を示している。パッケージ１９００は、第１の層１７０２において第１の刻み目１７７０および第２の刻み目１７７２を有する。パッケージ１９００は、第２の層において第１の刻み目１８７４および第２の刻み目１８７６をさらに含むことができる。パッケージ１９００は、２つのタブ切込み１７２６および１８２８を含むことができる。パッケージ１９００は、使用者がタブを反対方向へ引っ張り、層における刻み目のうちの一方または両方に沿って第１の層１７０２および／または第２の層１８０４を裂断させることによって、開封させることができる。
【０１１１】
図２０〜図２２は、パッケージ２２００の１つの実施の形態を示している。図２０は、パッケージ２２００のための第１の層２００２の正面図を示している。図２１は、パッケージ２２００のための第２の層２１０４の正面図を示している。図２２は、第１の層２００２および第２の層２１０４を含むパッケージ２２００の正面図を示している。
【０１１２】
幾つかの実施の形態において、第１の層２００２は第１の刻み目２０７０を含むことができ、第１の刻み目２０７０は、層２００２のエッジまたは周縁部と交差しないように層２００２内に延びている。幾つかの実施の形態において、第１の刻み目２０７０は、シールされていないパウチ領域内へ延びていることができる。幾つかの実施の形態において、第１の刻み目２０７０は、タブシールゾーンと製品シールゾーンとの間のシールされていない領域から、シールされていないパウチ領域まで延びていることができる。第１の層２００２は、さらに、タブ切込み２０２６を含むことができる。幾つかの実施の形態において、タブ切込み２０２６は、隙間から刻み目２０７０まで延びていることができる。
【０１１３】
第１の層２００２と同様に、第２の層２１０４は刻み目２１７４を含むことができる。刻み目２１７４は、刻み目２０７０と同様に、シールされていないパウチ領域内の、開封中に製品が露出させられ、パッケージから取り出されることができるようになる後の箇所などにおいて、途切れていることができる。第２の層２１０４も、タブ切込み２１２８を含むことができる。タブ切込み２１２８は、隙間から刻み目２１７４まで延びていることができる。
【０１１４】
図２２は、第１の層２００２における刻み目２０７０と、第２の層２１０４における刻み目２１７４とを備えるパッケージ２２００を示している。パッケージ２２００は、２つのタブ切込み２０２６および２１２８を有することができる。パッケージ２２００は、使用者がタブを反対方向へ引っ張り、それぞれの層における刻み目に沿って第１の層２００２および／または第２の層２１０４を引き剥がすことによって、開封させることができる。
【０１１５】
図２３は、製品シールゾーン２３０６の異なる実施の形態を備えるパッケージ２３００の正面図を示している。製品シールゾーン２３０６は、第２の層に接合された第１の層のより多くの領域を含むシールゾーンの一部などの、突出部分２３８０を含むことができる。突出部分２３８０は、シールゾーン２３０６の隣接する部分と比較して、パッケージ２３００を開封させるために使用者が付加的な力を加えることを要求することができる。突出部分２３８０は、使用者がパッケージを開封しているとき、突出部分２３８０において層を分離させることなく製品がパッケージから取り出されることができるように、配置することができる。突出部分２３８０は、パッケージ２３００をさらに開封させることなく、また、製品がパッケージ２３００から飛び出るリスクを増大することなく、製品がパッケージ２３００から取り出されることができることに使用者が気付かされるように付加的な力を要求することができる。
【０１１６】
幾つかの実施の形態において、力の増大は、製品シールゾーンの隣接する部分と比較したとき、第１の位置において製品シールゾーンに沿って層を分離させるために要求されることができる。幾つかの実施の形態において、シールはタイトであることができ、これにより、シールは、製品の、ヘッダとは反対側にあるシールの部分に沿って層を分離させるためにより大きな力を要求する。幾つかの実施の形態において、よりタイトなシールは、層を互いにシールするときにより大きな圧力が加えられることによって形成することができる。
【０１１７】
図２４は、１つの実施の形態によるパッケージの正面図である。幾つかの実施の形態において、パッケージ１００は、少なくとも１．５インチかつ９インチ以下の長さ（L）を有することができる。幾つかの実施の形態において、パッケージ１００は、少なくとも１．５インチかつ６インチ以下の長さ（L）を有することができる。幾つかの実施の形態において、パッケージ１００は、少なくとも２インチかつ６インチ以下の長さ（L）を有することができる。幾つかの実施の形態において、パッケージ１００は、少なくとも２．５インチかつ５．５インチ以下の長さ（L）を有することができる。幾つかの実施の形態において、パッケージ１００は、少なくとも３インチかつ４．５インチ以下の長さ（L）を有することができる。幾つかの実施の形態において、パッケージ１００は、約３．５インチの長さ（L）を有することができる。幾つかの実施の形態において、パッケージ１００は、約４インチの長さ（L）を有することができる。幾つかの実施の形態において、パッケージ１００は、約８インチの長さ（L）を有することができる。
【０１１８】
幾つかの実施の形態において、パッケージ１００は、少なくとも１．５インチの長さ（L）を有することができる。幾つかの実施の形態において、パッケージ１００は、少なくとも２インチの長さ（L）を有することができる。幾つかの実施の形態において、パッケージ１００は、少なくとも２．５インチの長さ（L）を有することができる。幾つかの実施の形態において、パッケージ１００は、少なくとも３インチの長さ（L）を有することができる。
【０１１９】
幾つかの実施の形態において、パッケージ１００は、４．５インチ以下の長さ（L）を有することができる。幾つかの実施の形態において、パッケージ１００は、５．５インチ以下の長さ（L）を有することができる。幾つかの実施の形態において、パッケージ１００は、６インチ以下の長さ（L）を有することができる。幾つかの実施の形態において、パッケージ１００は、９インチ以下の長さ（L）を有することができる。
【０１２０】
幾つかの実施の形態において、パッケージ１００は、少なくとも１インチかつ５インチ以下の幅（W）を有することができる。幾つかの実施の形態において、パッケージ１００は、少なくとも１インチかつ４インチ以下の幅（W）を有することができる。幾つかの実施の形態において、パッケージ１００は、少なくとも１インチかつ３インチ以下の幅（W）を有することができる。幾つかの実施の形態において、パッケージ１００は、少なくとも１．５インチかつ２．５インチ以下の幅（W）を有することができる。幾つかの実施の形態において、パッケージ１００は、１．９５インチなどの約２インチの幅（W）を有することができる。幾つかの実施の形態において、パッケージ１００は、３．９インチなどの約４インチの幅（W）を有することができる。
【０１２１】
幾つかの実施の形態において、パッケージ１００は、少なくとも１インチの幅（W）を有することができる。幾つかの実施の形態において、パッケージ１００は、少なくとも１．５インチの幅（W）を有することができる。幾つかの実施の形態において、パッケージ１００は、少なくとも１．７５インチの幅（W）を有することができる。
【０１２２】
幾つかの実施の形態において、パッケージ１００は、５インチ以下の幅（W）を有することができる。幾つかの実施の形態において、パッケージ１００は、４インチ以下の幅（W）を有することができる。幾つかの実施の形態において、パッケージ１００は、３インチ以下の幅（W）を有することができる。幾つかの実施の形態において、パッケージ１００は、２．５インチ以下の幅（W）を有することができる。
【０１２３】
幾つかの実施の形態において、隙間１２０は、パッケージ１００の長さの少なくとも１０％だけ延びていることができる。幾つかの実施の形態において、隙間１２０は、パッケージ１００の長さの少なくとも１５％だけ延びていることができる。幾つかの実施の形態において、隙間１２０は、パッケージ１００の長さの少なくとも２０％だけ延びていることができる。幾つかの実施の形態において、隙間１２０は、パッケージ１００の長さの少なくとも２５％だけ延びていることができる。
【０１２４】
幾つかの実施の形態において、第１のタブシールゾーン１３０および第２のタブシールゾーン１３２は、同じ長さ（l）を有することができる。幾つかの実施の形態において、第１のタブシールゾーン１３０または第２のタブシールゾーン１３２は、パッケージ１００の端部から、第１のタブシールゾーン１３０の最も遠い部分または第２のタブシールゾーン１３２の最も遠い部分までの長さ（l）を有することができる。幾つかの実施の形態において、第１のタブシールゾーン１３０または第２のタブシールゾーン１３２は、少なくとも１インチかつ３．５インチ以下の長さ（l）を有することができる。幾つかの実施の形態において、第１のタブシールゾーン１３０または第２のタブシールゾーン１３２は、少なくとも１インチかつ２インチ以下の長さ（l）を有することができる。幾つかの実施の形態において、第１のタブシールゾーン１３０または第２のタブシールゾーン１３２は、少なくとも１．５インチかつ１．７５インチ以下の長さ（l）を有することができる。幾つかの実施の形態において、第１のタブシールゾーン１３０または第２のタブシールゾーン１３２は、約１．６５インチの長さ（l）を有することができる。幾つかの実施の形態において、第１のタブシールゾーン１３０または第２のタブシールゾーン１３２は、少なくとも０．５インチかつ３インチ以下の長さ（l）を有することができる。幾つかの実施の形態において、第１のタブシールゾーン１３０または第２のタブシールゾーン１３２は、少なくとも０．７５インチかつ１．５インチ以下の長さ（l）を有することができる。幾つかの実施の形態において、第１のタブシールゾーン１３０または第２のタブシールゾーン１３２は、少なくとも１インチかつ１．２５インチ以下の長さ（l）を有することができる。幾つかの実施の形態において、第１のタブシールゾーン１３０または第２のタブシールゾーン１３２は、約１．１５インチの長さ（l）を有することができる。幾つかの実施の形態において、第１のタブシールゾーン１３０または第２のタブシールゾーン１３２は、約３．３インチの長さ（l）を有することができる。
【０１２５】
幾つかの実施の形態において、第１のタブシールゾーン１３０または第２のタブシールゾーン１３２は、少なくとも０．５インチの長さ（l）を有することができる。幾つかの実施の形態において、第１のタブシールゾーン１３０または第２のタブシールゾーン１３２は、少なくとも０．７５インチの長さ（l）を有することができる。幾つかの実施の形態において、第１のタブシールゾーン１３０または第２のタブシールゾーン１３２は、少なくとも１インチの長さ（l）を有することができる。幾つかの実施の形態において、第１のタブシールゾーン１３０または第２のタブシールゾーン１３２は、少なくとも１．５インチの長さ（l）を有することができる。
【０１２６】
幾つかの実施の形態において、第１のタブシールゾーン１３０または第２のタブシールゾーン１３２は、１．２５インチ以下の長さ（l）を有することができる。幾つかの実施の形態において、第１のタブシールゾーン１３０または第２のタブシールゾーン１３２は、１．５インチ以下の長さ（l）を有することができる。幾つかの実施の形態において、第１のタブシールゾーン１３０または第２のタブシールゾーン１３２は、１．７５インチ以下の長さ（l）を有することができる。幾つかの実施の形態において、第１のタブシールゾーン１３０または第２のタブシールゾーン１３２は、２インチ以下の長さ（l）を有することができる。幾つかの実施の形態において、第１のタブシールゾーン１３０または第２のタブシールゾーン１３２は、３インチ以下の長さ（l）を有することができる。幾つかの実施の形態において、第１のタブシールゾーン１３０または第２のタブシールゾーン１３２は、３．５インチ以下の長さ（l）を有することができる。
【０１２７】
幾つかの実施の形態において、第１のタブ切込み１２６と第１のタブシールゾーン１３０との間のスペース（d）または第２のタブ切込み１２８と第２のタブシールゾーン１３２との間のスペース（d）は、少なくとも０．０５インチかつ０．５インチ以下であることができる。幾つかの実施の形態において、第１のタブ切込み１２６と第１のタブシールゾーン１３０との間のスペース（d）または第２のタブ切込み１２８と第２のタブシールゾーン１３２との間のスペース（d）は、少なくとも０．１インチかつ０．２５インチ以下であることができる。幾つかの実施の形態において、第１のタブ切込み１２６と第１のタブシールゾーン１３０との間のスペース（d）または第２のタブ切込み１２８と第２のタブシールゾーン１３２との間のスペース（d）は、約０．２８インチ、０．１５インチまたは０．１４インチであることができる。
【０１２８】
幾つかの実施の形態において、第１のタブ切込み１２６と第１のタブシールゾーン１３０との間のスペース（d）または第２のタブ切込み１２８と第２のタブシールゾーン１３２との間のスペース（d）は、少なくとも０．０５インチであることができる。幾つかの実施の形態において、第１のタブ切込み１２６と第１のタブシールゾーン１３０との間のスペース（d）または第２のタブ切込み１２８と第２のタブシールゾーン１３２との間のスペース（d）は、少なくとも０．１インチであることができる。
【０１２９】
幾つかの実施の形態において、第１のタブ切込み１２６と第１のタブシールゾーン１３０との間のスペース（d）または第２のタブ切込み１２８と第２のタブシールゾーン１３２との間のスペース（d）は、０．５インチ以下であることができる。幾つかの実施の形態において、第１のタブ切込み１２６と第１のタブシールゾーン１３０との間のスペース（d）または第２のタブ切込み１２８と第２のタブシールゾーン１３２との間のスペース（d）は、０．２５インチ以下であることができる。
【０１３０】
第１の層２０２および第２の層２０４は、技術分野において一般的に知られている様々な材料および材料の組合せ、例えば、ポリエステルフィルム、スパンボンデッドオレフィン、DuPont TYVEK（登録商標）ブランドスパンボンデッドオレフィン、ポリブチレンを備える線状低密度ポリエチレン、二軸延伸ポリエステルフィルム、ポリプロピレンフィルム、高密度ポリエチレンフィルム、アクリロニトリルコポリマーフィルム、BP Chemicals, Inc.から提供されているBAREX（登録商標）ブランドアクリロニトリルコポリマーフィルム、キャストポリエチレンテレフタラート（PET）またはポリエチレンテレフタラートグリコール（PETG）フィルム、金属箔、アルミニウム箔、ポリ二塩化ビニリデン（PVDC）フィルム、エチレンビニルアルコールポリマ（EVOH）を含有する共押出フィルム、ポリビニルアルコール（PVA）フィルム、ポリアミドフィルム、ビニルフィルム、高密度ポリエチレン（HDPE）、ACLAR（登録商標）ブランドフィルム、冷間成形または熱成形フィルム、多層ヒートシール可能パウチフィルムまたは同じものを含有する複合ラミネーションまたはコーティングを含むことができる。様々な実施の形態において、第１の層２０２および第２の層２０４は、ヒートシール可能であるか、または超音波溶接、圧力または振動を利用してシール可能である。幾つかの実施の形態において、第１の層２０２および第２の層２０４のうちの一方のみがヒートシール可能であり、他方は、剥離可能シールを形成するための適合性材料である。１つの実施の形態において、第１および第２の層２０２，２０４のそれぞれは、DuPont TYVEK（登録商標）ブランドスパンボンデッドオレフィン、結合層およびシーラント層などのポリエステル層を含む。１つの実施の形態において、ポリエステルフィルム、結合層およびシーラント層は、１つのフィルムを形成するために共押出または積層されている。適切なシーラント層の１つの例は、他方の層に結合するために熱によって活性化される、ポリブチレンを備えた線状低密度ポリエチレンである。幾つかの実施の形態において、層２０２，２０４は、ヒートシーリング以外の方法によって接合される。例えば、層２０２，２０４は、幾つかの実施の形態において超音波溶接によって接合されてもよい。幾つかの実施の形態において、層２０２，２０４は、ヒートシーリングおよび超音波溶接の両方などの、１つより多い方法によって接合されてもよい。
【０１３１】
様々な実施の形態において、第１の層２０２および第２の層２０４は、実質的に不透過性である。様々な実施の形態において、第１の層２０２および第２の層２０４は、実質的に透過性である。例えば、金属箔層を含む層は実質的に不透過性であるのに対し、DuPont TYVEK（登録商標）ブランドスパンボンデッドオレフィンを含む層は透過性である。様々な実施の形態において、第１の層２０２および第２の層２０４は実質的に可撓性であるが、幾つかの実施の形態において、第１の層２０２または第２の層２０４の一方または両方は、実質的に剛性である。幾つかの実施の形態において、層のうちの一方または両方は、製品１１２が透明層を通して見えるように、透明である。第１の層２０２および第２の層２０４を表すために使用することができる代替的な用語は、フィルム、シート、ウェブ等を含む。
【０１３２】
第１の層２０２は、概して第２の層２０４と同じ広がりを持ち、上述のように、第１の層２０２および第２の層２０４は、剥離可能シールによって少なくとも部分的に接合されている。概して、剥離可能シールは、第１の層２０２および第２の層２０４の接触面の間の密封接合である。剥離可能シールは、技術分野において公知のあらゆる適切な方法によって形成することができる。様々な実施の形態において、剥離可能シールは、熱および圧力を加えることによって生じる、ヒートシールまたはメルトボンドされた関係である。代替的な実施の形態において、剥離可能シールは、第１の層２０２および第２の層２０４の接触面のうちの少なくとも一方に提供された適切な接着剤によって形成されている。少なくとも１つの実施の形態において、剥離可能シールは再シール可能であり、これにより、使用者はパッケージ１００を再封鎖することができる。
【０１３３】
概して、剥離可能シールは、使用者が、工具を使用することなく第１の層２０２および第２の層２０４を剥離させ、それらの間の製品１１２へアクセスすることができるようにする強度を有するように構成されている。１つの実施の形態において、剥離可能シールの強度は、パルプ製紙産業技術協会によって出版された試験手順TAPPI T-494にしたがって、毎分１２インチの走行速度で１８０度において引き離したときのシールの線形インチ当たり１．２５〜２ポンドの範囲である。幾つかの実施の形態において、剥離可能シールの強度は、シールの線形インチ当たり１．０〜２．５ポンドの範囲である。様々な実施の形態において、剥離可能シールは、シールの線形インチ当たり０．２５〜３．５インチの範囲の強度を有する。
【０１３４】
図２５は、本明細書に開示された技術と一致するパッケージを製造する１つの方法と一致するフローチャートを示している。概して、少なくとも２つのウェブが提供され（２０）、製品が一方のウェブに配置され（３０）、シールされていない領域内に製品を閉じ込めるためにウェブがシールされ（４０）、次いで、ウェブがパッケージに切断され（５０）、隙間が切込みによって画定され、タブ切込みが形成される。図２６は、切断（５０）の前の、図２５に関連した方法と一致する、複合ウェブ１０００の一例を示している。これらの構成部分から形成されたパッケージは、製品を収容および提供するためのものであることができる。
【０１３５】
ウェブを提供するステップ（２０）は、概して、第１の層ウェブおよび第２の層ウェブを提供することを含むが、付加的なウェブを提供することもできる。第１の層ウェブおよび第２の層ウェブは、本明細書に記載されているように、様々な異なる材料であることができる。製品を配置すること（３０）は、概して、第２の層ウェブの少なくとも１つのパウチ領域に製品を配置することを含む。
【０１３６】
図２６は、第１の層ウェブおよび第２の層ウェブを有する複合ウェブ１０００を示している。複合ウェブ１０００は、個々のパッケージ２６００を含み、各パッケージは、パウチ領域２６１０と、パウチ領域２６１０における製品１１２とを有する。個々のパッケージ２６００は、ウェブマトリックス２６４６によって互いから分離されている。
【０１３７】
図２６および図２５のステップを参照すると、様々な実施の形態において、複数の製品１１２は、第２の層ウェブの対応するパウチ領域２６１０において第２の層ウェブに配置される。剥離可能シールによって第１の層が第２の層に接合されるように、少なくともシールゾーンのうちの１つにおいて第１の層ウェブを第２の層ウェブにシールすることによって、複合ウェブ１０００を形成するためにウェブがステップ４０においてシールされる。幾つかの実施の形態において、製品シールゾーン、第１のタブシールゾーンおよび第２のタブシールゾーンにおいて第１の層ウェブを第２の層ウェブとシールさせることができる。図２６に示された実施の形態を含む複数の実施の形態において、複合ウェブを形成することは、第１のタブ内の第１のタブシールゾーンおよび第２のタブ内の第２のタブシールゾーンにおいて第１の層ウェブを第２の層ウェブにシールすることも含む。
【０１３８】
ウェブは、概して、複数のパッケージを作るための大きさにされており、加工方向に極めて長くてもよく、連続的と呼ばれてもよく、１〜５個のパッケージ分またはそれ以上の加工横断方向を有してもよい。図２６の複合ウェブ１０００は、２つのパッケージの幅を有し、加工方向に極めて長い。“加工方向で極めて長い”という表現は、その幅より１００〜１０００倍長いなど、幅広であるよりも一般的に実質的により長く、しばしばロールにおいて加工されるウェブを意味するために使用される。
【０１３９】
図２５の方法の少なくとも１つの例としての実施において、ウェブをシールすること（４０）は、連続動作機械のラインで行われる。複合ウェブ１０００を形成するためにシールゾーンにおいてヒートシールまたはその他のシールによって第１の層ウェブと第２の層ウェブとを接合するためにシールプレートを使用することができる。このような実施において、シールプレート自体は、内側周縁部および外側周縁部を有する製品シールゾーンをも画定する。図２６に示されたウェブ実施形態において、このようなシールプレートは、個々のパッケージタブ領域内に第１のタブシールゾーンおよび第２のシールゾーンも画定する。
【０１４０】
複合ウェブは次いで、少なくとも１つの個々のパッケージを製造するために切断される（５０）。マトリックス２６４６から個々のパッケージ２６００を分離させるために、中央の加工方向の切断線、加工横断方向の切断線、および外側の加工方向の切断線に沿ってパッケージが切断される。ウェブマトリックス２６４６は、シーリングおよび切断ステップにおいてある程度の公差を許容する。
【０１４１】
様々な実施の形態において、切断する工程のステップ（５０）は、パッケージ２６００に第１のタブを画定するために第１のタブ切込み位置においてパッケージの第１の層のみを切断する工程と、パッケージに第２のタブを画定するために第２のタブ切込み位置においてパッケージの第２の層のみを切断する工程も含む。上述のように、タブ切込みは、概して、製品シールゾーン、第１のタブシールゾーンおよび第２のタブシールゾーンの外側にあり、シールされていないヘッダ領域内にある。様々な実施の形態において、各個々のパッケージは、それぞれの外側周縁部の周りでかつタブ切込み位置において打ち抜かれる。各パッケージにタブ切込みを切断する工程に加え、各パッケージに隙間を切り抜くことができる。様々な実施の形態において、各個々のパッケージは、１つの打抜きステーションおよびステップにおいて、それぞれの外側周縁部の周りでかつタブ切込み位置において打ち抜かれる。少なくとも１つの例としての実施において、打抜き（５０）は、ロータリーダイステーションにおいて実施される。このような例において、ロータリーダイは、例えば、アンビルロールに押し付けられて切断することができる。その他の実施の形態において、パッケージは、外側周縁部においてナイフ切断またはギロチン切断される。
【０１４２】
図２７は、本明細書に記載されたパッケージを形成するために使用することができるパッケージ製造装置システム２７５２の１つの実施の形態の概略図である。システム２７５２は、第１の層、第２の層およびパッケージングされる製品などの、パッケージのための投入材料を提供するための機器２７５４を含む。１つの実施の形態において、これらの材料はロールで提供される。望まれるあらゆる準備的切断を行うために、幾つかの実施の形態において、シーリングステーション２７５８の前に予備ダイステーション２７５６が設けられてもよい。予備ダイステーション２７５６は、１つまたは複数のロータリーダイ、１つまたは複数のフラットダイまたはそれらの組合せを含むことができる。幾つかの実施の形態において、準備的切断が必要とされないなどの場合、シーリングステーション２７５８の前にダイステーション２７５６は存在しない。
【０１４３】
シーリングステーション２７５８は、シールゾーンにおいてウェブを互いに接合するためにウェブをシールする工程のステップを行う。１つの実施の形態において、シーリングステーションは、異なるシールゾーンを形成するために使用される複数のヒートシールプレートを含む。１つの実施の形態において、第１のシールプレートは製品シールゾーンを形成するために使用されるが、第２のシールプレートは、第１のタブシールゾーンおよび第２のタブシールゾーンを形成するために使用される。様々な実施の形態において、シーリングステーション２７５８は、異なるシールゾーンを形成するために圧力法または超音波法を使用することができる。様々な実施の形態において、異なるシールゾーンを形成するために接着剤を塗布することができる。
【０１４４】
ダイステーション２７６０が設けられており、ここでは、個々のパッケージをマトリックスから分離させるために、かつ幾つかの実施の形態において２つのタブの間に隙間を画定するために、図２６に関して説明したように、各パッケージが外側周縁部に沿って切断される。予備ダイステーション２７６０は、１つまたは複数のロータリーダイ、１つまたは複数のフラットダイまたはそれらの組合せを有することができる。パッケージは、また、第１のタブを形成するために第１のタブ切込み位置において一方の層において切断され、第２のタブを形成するために第２のタブ切込み位置において他方の層において切断される。プロセスにおいて製造された個々のパッケージを処理するために、排出機器２７６２も設けられている。図２７の概略図は、基本的な機器構成部分を示しているが、付加的な機器がその他の処理機能を提供することができることが当業者によって認識されるであろう。
【０１４５】
図２８は、幾つかの実施の形態による、剥離抑制特徴部を有するパッケージの正面図である。図２８は、製品２８１２を収容および提供するためのパッケージ２８００を示している。幾つかの実施の形態において、パッケージ２８００は、本明細書に記載された触覚特徴部と類似の触覚特徴部２８３４を含む。パッケージ２８００は、第１の層２８０２、（図２８における第１の層２８０２の裏側における）第２の層２８０４、シール２８０７によって第１の層２８０２が第２の層２８０４に接合されている製品シールゾーン２８０６とから構成されている。第１の層２８０２および第２の層２８０４は、上述の形式で互いに接合されている。
【０１４６】
特に、第１の層２８０２は、１つまたは複数のシールゾーンにおいて第２の層２８０４と接合させることができる。図２８の実施の形態において、第１の層２８０２および第２の層２８０４は、第１のタブシールゾーン２８３０、第２のタブシールゾーン２８３２および製品シールゾーン２８０６においてシールされている。第１の層２８０２および第２の層２８０４は、シールされていない部分２８１６においてシールされていない。第１の層２８０２および第２の層２８０４は、シールされていないパウチ領域２８１０においてもシールされていない。
【０１４７】
パッケージ２８００は、パッケージ２８００の一方の端部におけるヘッダゾーン２８１８と、ヘッダゾーン２８１８と反対側の閉鎖端部２８１９とを有する。ヘッダゾーン２８１８は、製品シールゾーン２８０６の外側周縁部２８１４に隣接している。ヘッダゾーン２８１８は、第１のタブ２８２２および第２のタブ２８２４を含む。ヘッダゾーン２８１８は、シールされていない部分２８１６も含む。第１のタブシールゾーン２８３０は、第１のタブ２８２２を画定している。第２のタブシールゾーン２８３２は、第２のタブ２８２４を画定している。第１のタブ２８２２と第２のタブ２８２４との間に、隙間２８２０がある。隙間２８２０は、第１のタブ２８２２を第２のタブ２８２４から分離するエッジ２８２１によって境界を定められている。幾つかの例において、第１のタブ切込み２８２６は、第２のタブ切込み２８２８と交差していない。これらの例において、第１のタブ切込み２８２６は、隙間２８２０の一部を画定するパッケージ２８００のエッジ２８２１において途切れており、第２のタブ切込み２８２８も、パッケージ２８００のエッジ２８２１において途切れている。
【０１４８】
製品シールゾーン２８０６は、製品シールゾーン２８０６の境界を画定する、内側周縁部２８０８および外側周縁部２８１４を有する。製品シールゾーン２８０６の内側周縁部２８０８は、製品２８１２を収容するためのシールされていないパウチ領域２８１０を画定している。シール２８０７は、第１のシールエッジ２８３８および第２のシールエッジ２８３９を有する。閉鎖端部２８１９は、製品シールゾーン２８０６の端部と見なされる。シール２８０７は、製品２８１２を露出から保護している。
【０１４９】
ヘッダゾーン２８１８は、ヘッダゾーン２８１８のシールされていない部分２８１６内の第１の層２８０２における第１のタブ切込み２８２６と、ヘッダゾーン２８１８のシールされていない部分２８１６内の第２の層２８０４における第２のタブ切込み２８２８と、も含む。図２８の第２のタブ切込み２８２８は、破線として示されている。第１のタブ切込み２８２６および第２のタブ切込み２８２８により、使用者は、第１の層２８０２と第２の層２８０４とを剥離させ、製品２８１２を露出させることができる。
【０１５０】
使用者は、一方の手で第１のタブ２８２２を、他方の手で第２のタブ２８２４を掴み、２つのタブを反対方向へ引っ張ることによって製品２８１２を露出させるためにパッケージ２８００を開封する。最初、シール２８０７は分離に抵抗する。使用者がシール２８０７の抵抗に対して十分な力を加えると、力は、まず製品シールゾーン２８０６の頂点２８５０においてシール２８０７を破壊させる。第１の層２８０２は、次いで、第２の層２８０４から剥離し始める。第１のタブ２８２２および第２のタブ２８２４は、次第に引き離され、シール２８０７のより多くが破壊される。最後に、第１の層２８０２および第２の層２８０４が剥離されながら、第１のシールエッジ２８３８および第２のシールエッジ２８３９が破壊される。
【０１５１】
幾つかの例において、使用者が製品２８１２を掴みかつ製品２８１２をパッケージから取り出すために十分にパッケージ２８００が開封されると、層を分離させることができる速度を減速させることが望ましい。幾つかの例において、第１および第２の層が互いから完全に分離される可能性を減じることが望ましい。第１および第２の層が互いから完全に分離されることは、製品をパッケージから落下させることがある。こうするための１つの方法は、製品２８１２が次第に露出させるにしたがって、シール２８０７によって提供される抵抗を増大させることである。幾つかの例において、剥離抑制特徴部２８８０がこの機能を提供する。剥離抑制特徴部２８８０は、シール２８０７の抵抗を増大させ、第１の層２８０２と第２の層２８０４とを分離させるために使用者が付加的な力を加えることを要求する。実際には、使用者は、特定の大きさの力を加えることによって第１の速度でシール２８０７を引き離すことができる。第１の層と第２の層とが分離させられながら使用者が剥離抑制特徴部に達すると、剥離抑制特徴部が作動させられる。シール２８０７の抵抗が増大し、第１の層２８０２と第２の層２８０４との分離速度が減速する。これにより、剥離抑制特徴部２８８０はスピードバンプとして作用し、使用者があまりに速くパッケージ２８００を剥離開封させることを防止する。使用者があまりに速くパッケージ２８００を剥離開封させることは、時には、製品２８１２がパッケージ２８００から床へ落下することにつながる。
【０１５２】
図２８の例において、剥離抑制特徴部２８８０は、広がったシールゾーン部分２８８３を有する。第１のシールエッジ２８３８は、広がったシールゾーン部分２８８３に隣接したシールゾーン部分２８８１において第１の幅２８５７を有する。広がったシールゾーン部分２８８３は、第１の幅２８５７より大きな第２の幅２８５５を有する。第２のシールエッジ２８３９は、同様に、より狭い部分２８４１およびより広い部分２８４２を有する。
【０１５３】
実際には、使用者がパッケージを開封するとき、第１の層２８０２を第２の層２８０４から剥離させることは、シールを、より狭い部分２８４１と同時により狭い部分２８３８の位置において破壊させ、シールは、より広い部分２８４２と同時により広い部分２８８３の位置において破壊させられる。
【０１５４】
第１の層２８０２および第２の層２８０４が製品シールゾーン部分２８８１および２８４１において剥離されるとき、これは、特定の速度で層を引き離すための特定の大きさの力を要求する。使用者が、広がったシールゾーン部分２８８３および２８４２に達すると、剥離抑制特徴部が作動させられる。すなわち、広がったシールゾーン部分２８８３および２８４２において、より狭い部分２８４１および２８８１と同じ速度で第１の層と第２の層とを剥離させるために、より大きな力が要求される。その結果、使用者が均等な大きさの力を加えると、層が引き離される速度が、剥離抑制特徴部の位置において減速させられる。
【０１５５】
幾つかの例において、使用者が、製品シールゾーンの頂点からパッケージの後側エッジまでの距離の半分より多くパッケージの側部を剥離させたとき、剥離抑制特徴部が作動させられる。幾つかの例において、剥離抑制特徴部は、シールエッジまでの距離の半分、シールエッジまでの距離の３分の２またはシールエッジまでの距離の４分の３に配置されている。例えば、製品シールゾーンの頂点からパッケージの後側エッジまで３インチの長さを有するパッケージにおいて、剥離抑制特徴部は、頂点から１．５インチより大きい距離、頂点から１．７５インチより大きい距離、頂点から２インチより大きい距離、頂点から２．２５インチより大きい距離または頂点から２．５インチより大きい距離に配置することができる。
【０１５６】
剥離抑制特徴部の位置は、シールされていないパウチ領域に対する製品の位置に基づいて変動することができる。幾つかの例において、剥離抑制特徴部は、製品の後側エッジよりも、ヘッダゾーンの近くに配置されている。幾つかの例において、剥離抑制特徴部は、第１の層が第２の層から剥離されながら剥離抑制特徴部が作動させられたときに製品の一部が製品シール領域によってまだ包囲されているような位置に、配置されている。剥離抑制特徴部は、パッケージが剥離開封されながら剥離抑制特徴部が作動させられたときに製品の全部が露出させられないように配置することができる。
【０１５７】
広がったシールゾーン部分の幅は、用途に応じて変動することができる。幾つかの例において、広がったシールゾーン部分は、隣接するシールゾーン部分より５０％広い。幾つかの例において、広がったシールゾーン部分は、隣接するシールゾーン部分より１０％から５０％までの間で広く、隣接するシールゾーン部分より２５％から７５％までの間で広く、隣接するシールゾーン部分より５０％から１００％までの間で広く、隣接するシールゾーン部分より７５％から１２５％までの間で広く、または隣接するシールゾーン部分より１００％から１５０％までの間で広い。幾つかの例において、広がったシールゾーン部分は、隣接するシールゾーン部分より２倍以上広い。幾つかの例において、広がったシールゾーン部分は、隣接するシールゾーン部分より５０％から１００％までの間で広い。
【０１５８】
図２９は、剥離抑制特徴部の代替的な例を有するパッケージ２９００の正面図である。この例において、製品シールゾーン２９０６は、第１のシールエッジ２９３８および第２のシールエッジ２９３９を有する。剥離抑制特徴部２９８０は、変化する幅を有する部分２９８３を有する。この例において、第１のシールエッジ２９３８および第２のシールエッジ２９３９の幅は、使用者がパッケージ２９００の２つの層を引き離すとき、まず急激に増大し、次いで徐々に減少し、次いで再び急激に増大する。この幅の変化により、第１および第２の層をあまりに速くまたはあまりに大きな力で使用者が剥離させることを防止するために、使用者に触覚フィードバックが提供される。
【０１５９】
図３０は、剥離抑制特徴部の別の代替的な例を有するパッケージ３０００の正面図である。前の例と同様に、パッケージ３０００は、第１のタブ切込み３０２６を備える第１のタブ３０２２と、第２のタブ切込み３０２８を備える第２のタブ３０２４と、製品シールゾーン３００６と、シールされていない製品領域３０１０と、ヘッダゾーン３０１８とを有する。
【０１６０】
この例において、製品シールゾーン３００６の側部エッジ３０２１は、第１の幅を有する第１のエッジ部分３０３１と、第２の幅を有する第２のエッジ部分３０４１と、第３の幅を有する第３のエッジ部分３０５１とを有する。第１のエッジ部分３０３１はヘッダゾーン３０１８に最も近く、したがって、使用者がパッケージを開封するときに最初に剥離される。次いで、第１のエッジ部分よりもヘッダゾーン３０１８から遠い第２のエッジ部分３０４１に到達する。第２のエッジ部分３０４１は第１のエッジ部分３０３１より大きな幅を有し、したがって、第２のエッジ部分３０４１は、引き離されることに対するより大きな抵抗を有する。これは、パッケージ３０００が開封される速度を減速させる。部分３０３１，３０４１および３０５１の間のこの幅の変化により、第１および第２の層をあまりに速くまたはあまりに大きな力で使用者が剥離させることを防止するために、使用者に触覚フィードバックが提供される。幅３０５１は、幅３０４１より小さいことができる。幾つかの例において、幅３０５１は、第１のエッジ部分３０３１の幅とほぼ等しいことができる。
【０１６１】
図３１は、剥離抑制特徴部の別の例を包含するパッケージ３１００の正面図である。製品シールゾーン３１０６は、部分３１３１において第１の幅を有する側部エッジ３１２１を有する。一連の幅変化３１４１は、剥離抑制特徴部３１８０を形成する。この例において、パッケージ３１００の第１および第２の層を剥離させるために要求される力は、まず増大し、即座に続いて減少し、使用者に触覚フィードバックを提供し、層を引き離すことができる速度を減速させる。幾つかの例において、幅変化３１４１は、等しい幅を有することができる。幾つかの例において、幅変化３１４１の幅は、例えば、パッケージの後側エッジに向かって増大または減少することができる。幾つかの例において、幅変化の増大した幅の間に、第１の幅部分３１３１の幅とほぼ等しい幅を有する領域を散在させることができる。幾つかの場合、幅変化３０４１の間の距離は、幅変化の幅と同じである。幅変化は、複数の形状を有することができる。例えば、幅変化は、直角を備える矩形、湾曲した端部、丸みづけられた端部であることができ、または不規則に形作られていることができる。剥離抑制部は、２つ、３つ、４つ、５つまたは別の数の幅変化３１４１を有することができる。幅変化３１４１は、等間隔にすることができ、閉鎖端部に近づくほど幅広であることができ、閉鎖端部に近づくほど狭幅であることができ、またはその他の離隔させられた関係を有する。
【０１６２】
図３２は、幾つかの実施の形態によるパッケージ３２００の正面図である。パッケージ３２００は、シールされていないパウチ領域３２１０を画定する製品シールゾーン３２０６を有する。パッケージ３２００は、第１のタブ切込み３２２６および第２のタブ切込み３２２８を有する。図３２の例において、製品シールゾーン３２０６は、五角形の外側周縁部３２１４と、パウチ領域３２１０を画定する内側周縁部３２０８とを有する。図３２の例において、外側周縁部３２１４の頂点３２５０は、第１の山形を形成している。製品シールゾーン３２０６の内側周縁部３２０８の頂点３２５４も、第２の山形を形成している。図３２において、頂点３２５０は、頂点３２５４より鋭い頂点を形成している。
【０１６３】
比較すると、図３１の例において、内側周縁部３１０８は、頂点３１５０において外側周縁部３１１４に対して平行である。その結果、図３２の頂点３２５０における山形は、図３１における頂点３１５０におけるものより鋭い。
【０１６４】
製品シールゾーンは、第１の側部エッジから第２の側部エッジまで垂直に延びる線と重なる製品シールゾーンの全幅として規定される横方向製品シール幅を有する。横方向製品シール幅は、パッケージの側部エッジに沿った特定の位置またはセクションにおいてパッケージの層を剥離させるために破壊される。例えば、図３２を参照すると、製品シールゾーン３２０６は、頂点３２５０の近くの製品シール領域における第１の位置において、w１に等しい第１の横方向製品シール幅を有する。製品シールゾーン３２０６は、第１および第２の側部エッジに沿って位置するシールエッジの近くの上部製品シール領域における第２の位置において、幅w２と幅w３との合計に等しい第２の横方向製品シール幅を有する。図２８の例において、パッケージ２８００は、側部シールエッジ２８３８，２８３９に沿った位置において、第１の幅２８５７の２倍の横方向製品シール幅を有する（シールゾーン部分２８８１の幅がシールゾーン部分２８４１の幅と等しいと仮定して）。図２８の例においても、パッケージ２８００は、剥離抑制特徴部の位置において、第２の幅２８５５の２倍に等しい第２の横方向シール幅を有する（シールゾーン部分２８８３がシールゾーン部分２８４２と同じ幅を有すると仮定して）。第１の層と第２の層とを剥離させるために必要な力は、横方向シール幅に関して変化する。横方向シール幅が大きくなるほど、その箇所においてシールを破壊するためにより大きな力が要求される。
【０１６５】
幾つかの例において、パッケージ３２００が開封されようとしているとき、より鋭い山形先端部は、シール３２０７の抵抗を減じる。これは、頂点３２５０においてシール３２０７を破壊することをより容易にし、パッケージはより容易に開封される。幾つかの例において、外側周縁部によって画定された頂点の山形は、９０度から１３０度までの間の角度を有する。幾つかの例において、頂点の山形は、９０度から１１０度までの間の角度、１００度から１２０度までの間の角度、１１５度から１２５度までの間の角度または１２０度から１３０度までの間の角度を有する。
【０１６６】
山形の角度の鋭さおよび製品シールゾーン３２０６の幅の両方が、パッケージ３２００の層を剥離させることがどれだけ容易または困難であるかに影響する。鋭い先端部は、タブ３２２２および３２２４が引き離されているときに破壊されることに対するシール３２０７の抵抗を減じるのに対し、頂点３２５０における増大した幅は、破壊されることに対するシール３２０７の抵抗を増大させる。頂点３２５０における製品シールゾーン３２０６の幅および山形の鋭さは、技術の特定の適用のための望みに応じて最適化することができる。
【０１６７】
パッケージ３２００は、剥離抑制特徴部３２８０も有する。この例において、剥離抑制特徴部３２８０は、可変幅特徴部３２４１および剥離妨害特徴部３２５１を有する。剥離妨害特徴部は、第２の層からの第１の層の分離を妨げる。剥離妨害特徴部の目的は、剥離抑制特徴部の位置において破壊されることに対するシールの抵抗をさらに増大させることである。幾つかの例において、剥離妨害特徴部は、層を剥離させることができる速度を減速させる。代替的な例において、剥離妨害特徴部は、プロセスを完全に停止させ、剥離妨害特徴部の位置よりも先へ第１の層および第２の層が剥離されることを防止する。幾つかの例において、剥離妨害特徴部は、製品シールゾーンからパッケージの外側エッジまで延びている。幾つかの例において、剥離妨害特徴部は、シールされていないパウチ領域と交差していない。幾つかの例において、剥離妨害特徴部は、パッケージの外側エッジまたはシールされていないパウチ領域と交差することなく、製品シールゾーンの内側周縁部と製品シールゾーンの外側周縁部との間に画定された領域内に完全に収容されている。
【０１６８】
図３２の例において、剥離妨害特徴部３２５１は、超音波溶接または熱溶接などの、シール側部エッジ３２２１における溶接である。代替的な例において、剥離妨害特徴部３２５１は、圧着、第１の層における切込み、第２の層における切込み、第１および第２の層両方における切込み、切欠、または外側周縁部において始まる一方または両方の層におけるエッジ切込みであることができる。１つの例において、圧着は、製造プロセスの間にパッケージが圧縮される位置である。剥離妨害特徴部が切込みまたは圧着である場合、剥離妨害特徴部は、層を剥離させる力を切込みまたは圧着の方向へ向けるように働き、層を分離させるように方向へ向けられる力を妨害する。剥離妨害特徴部が溶接である場合、層は永久に互いに結合される。溶接は、溶接の位置において第１の層が第２の層から剥離されることを防止する。
【０１６９】
図３３〜図３９は、使用することができる剥離抑制特徴部の代替的な例を提供している。これらの各図において、剥離抑制特徴部は、広がったシールゾーン部分および剥離妨害特徴部を含む。しかしながら、剥離抑制特徴部は、広がったシールゾーン部分単独、剥離妨害特徴部単独、複数の広がったシールゾーン部分、複数の剥離妨害特徴部またはこれらのあらゆる組合せを包含することができることが理解されるべきである。
【０１７０】
図３３は、V字形の溶接、圧着または切込み３３５１を含む剥離抑制特徴部３２８０を有するパッケージ３２００を示している。図３３の例は、パッケージ３２００のエッジ３２１１まで完全に延びたV字形の剥離妨害特徴部３３５１を示している。代替的な例において、V字形は、エッジ３２１１まで延びることなく、製品シールゾーン３２０６内に完全に収容されていることができる。
【０１７１】
図３４は、パッケージ３２００のエッジ３２１１に対して垂直方向にパッケージ３２００の側部エッジ３２１１から延びる直線である剥離妨害特徴部３４５１を備えた、剥離抑制特徴部３２８０を示している。図３５は、パッケージ３２００の側部エッジ３２１１を始点とする渦巻である剥離妨害特徴部３５５１を有する。図３９は、より大きな半径を備える渦巻形剥離妨害特徴部３９５１の代替的な例を示している。使用中、渦巻が切込みであるならば、製品シールゾーンの第１の層および第２の層を、渦巻の位置まで引き離すことができる。渦巻に達すると、シールを、渦巻の中央ではなく、パッケージの側部エッジ３２１１において破壊させることができ、第１の層および第２の層は互いにシールされたままとなる。渦巻の中央において第１の層と第２の層とを引き離すために、付加的な力が加えられなければならず、停止または減速させるために使用者に触覚フィードバックを提供する。
【０１７２】
図３６は、剥離妨害特徴部３６５１を示している。剥離妨害特徴部３６５１は、パッケージ３２００の側部エッジ３２１１を始点として、パッケージ３２００の端部に向かって斜めに延びている。図３７は、パッケージ３２００の側部エッジ３２１１における切欠３７５１を有する剥離妨害特徴部を示している。図３８は、ヘッダゾーンの方向に凹状の湾曲した半円形の剥離妨害特徴部を示している。代替的に、剥離妨害特徴部３８５１は、ヘッダゾーンとは反対の方向に凹状であることができる。別の例において、剥離妨害特徴部は、製品シールゾーンのシール側部エッジに位置する、円形の溶接であることができる。
【０１７３】
剥離妨害特徴部を形成する異なる方法の使用は、製造ニーズに依存する。例えば、超音波溶接は、溶接において第１の層が第２の層から剥離することを防止するための永久シールを提供することができる。しかしながら、これは、余分な製造ステップおよび付加的な製造機器を要求する。対照的に、切込みまたは切欠は、製造中に付加的な特別な機器なしに得ることができる。
【０１７４】
本明細書に記載された現在の技術の実施の形態は、網羅的であることは意図されていないか、または以下の詳細な説明に開示された形式そのものに技術を限定することは意図されていない。むしろ、実施の形態は、当業者が、本技術の原理および実用を認識および理解することができるように、選択および記載されている。本技術は、様々な特定の好適な実施の形態および技術に関して説明されている。しかしながら、技術の思想および範囲内にとどまりながら多くの変形態様および改良がなされてもよいことが理解されるべきである。
【０１７５】
本明細書および添付の請求項において使用されるとき、単数形は、内容が明確にそうでないことを指示していないかぎり、複数のそれを含むことに留意すべきである。これにより、例えば、“１つの合成物”を含有する組成への言及は、２つ以上の合成物の混合物を含む。“または”という用語は、内容が明確にそうでないことを指示していないかぎり、“および／または”を含む意味で一般的に使用されていることにも留意すべきである。
【０１７６】
本明細書および添付の請求項において使用されるとき、“構成された”という表現は、特定の仕事を行うまたは特定の構成を採用するように構築または構成されたシステム、装置またはその他の構造を述べていることにも留意すべきである。“構成された”という表現は、配置されかつ構成された、構築および配置された、構築された、製造および配置されたなどの他の類似の表現と互換的に使用することができる。
【０１７７】
本明細書における全ての出版物および特許出願は、この技術が属する分野における当業者のレベルを示す。全ての出版物および特許出願は、各個々の出版物または特許出願が特にかつ個々に引用によって示されたのと同じ程度まで引用によって本明細書に組み入れられる。本明細書に開示された出版物および特許は、それらの開示のためにのみ提供されている。本明細書では、発明者たちが、本明細書において引用されたものを含むあらゆる出版物および／または特許に先行する資格がないことの許可として解釈されるものはない。
【図１】
2019517443.tif 000003
【図２】
2019517443.tif 000004
【図３】
2019517443.tif 000005
【図４】
2019517443.tif 000006
【図５】
2019517443.tif 000007
【図６】
2019517443.tif 000008
【図７】
2019517443.tif 000009
【図８】
2019517443.tif 000010
【図９】
2019517443.tif 000011
【図１０】
2019517443.tif 000012
【図１１】
2019517443.tif 000013
【図１２】
2019517443.tif 000014
【図１３】
2019517443.tif 000015
【図１４】
2019517443.tif 000016
【図１５】
2019517443.tif 000017
【図１６】
2019517443.tif 000018
【図１７】
2019517443.tif 000019
【図１８】
2019517443.tif 000020
【図１９】
2019517443.tif 000021
【図２０】
2019517443.tif 000022
【図２１】
2019517443.tif 000023
【図２２】
2019517443.tif 000024
【図２３】
2019517443.tif 000025
【図２４】
2019517443.tif 000026
【図２５】
2019517443.tif 000027
【図２６】
2019517443.tif 000028
【図２７】
2019517443.tif 000029
【図２８】
2019517443.tif 000030
【図２９】
2019517443.tif 000031
【図３０】
2019517443.tif 000032
【図３１】
2019517443.tif 000033
【図３２】
2019517443.tif 000034
【図３３】
2019517443.tif 000035
【図３４】
2019517443.tif 000036
【図３５】
2019517443.tif 000037
【図３６】
2019517443.tif 000038
【図３７】
2019517443.tif 000039
【図３８】
2019517443.tif 000040
【図３９】
2019517443.tif 000041
【国際調査報告】
2019517443.tif 000042
2019517443.tif 000043